【事件の表示】
　特願２０００−１６１８５７「印刷装置及び印刷方法並びに記憶媒体」拒絶査定不服審判事件〔平成１３年１２月１１日出願公開、特開２００１−３４１３６１〕について、次のとおり審決する。
【結　論】
　本件審判の請求は、成り立たない。
【理　由】
第１　手続の経緯　
　本願は、平成１２年５月３１日の出願であって、平成２１年１０月１３日及び平成２２年４月５日に手続補正がなされ、平成２２年４月５日付け手続補正が同年８月２６日付けで却下され、同日付けで拒絶査定がなされ、これに対して、同年１１月３０日に拒絶査定不服審判が請求されると同時に手続補正がなされたものである。
　なお、請求人は、当審における平成２３年３月２８日付け審尋に対して同年５月３０日付けで回答書を提出している。
　
第２　平成２２年１１月３０日付け手続補正についての補正却下の決定
　
〔補正却下の決定の結論〕
　平成２２年１１月３０日付け手続補正を却下する。
　
〔理由〕
１　本件補正の内容
（１）平成２２年１１月３０日付け手続補正（以下「本件補正」という。）は、特許請求の範囲及び発明の詳細な説明についてするもので、特許請求の範囲については、本件補正前の請求項１に、
　
「置数を設定する第１の設定手段と、
　前記置数以外の印刷条件を設定する第２の設定手段と、
　
所定の置数で
印刷処理を実行する
　
前
を
変更する
　
前記変更手段により前記印刷条件が変更された場合に、
置数で前
印刷処理を実行
前
置数
置数で
印刷処理を実行
　
「置数を設定する第１の設定手段と、
　前記置数以外の印刷条件を設定する第２の設定手段と、
　
所定の置数分の印刷処理を
実行する
　
前記第１の設定手段により設定された前記置数及び前
を
変更する
　
前記変更手段により前記置数が変更されず前記印刷条件が変更された場合に、
前記置数分の印刷処理を
実行
前記置数及び前
前記置数
置数分の印刷処理を
実行
前記変更手段により前記置数及び前記印刷条件が変更された場合に、前記所定の置数分の印刷処理を前記変更手段により変更された前記印刷条件に従って実行することなく、前記変更手段により変更された前記置数分の印刷処理を
実行
　
（２）本件補正後の請求項１に係る上記（１）の補正は、次のアないしエの補正からなるものである。
　ア　本件補正前の請求項１に記載した発明を特定するために必要な事項である「前記第１の印刷手段が前記印刷処理を実行した後に変更する変更手段」が、前記第２の設定手段により設定された前記印刷条件に加えて、「前記第１の設定手段により設定された前記置数」も変更することを限定する。
　
　イ　本件補正前の請求項１に記載した発明を特定するために必要な事項である「第２の印刷手段が、前記変更手段により前記印刷条件が変更された場合に、前記第１の設定手段により設定された置数で前記変更手段により変更された前記印刷条件に従って印刷処理を実行する」ことについて、前記第１の設定手段により設定された置数で実行するのは、「前記変更手段により前記置数が変更」されない場合であり、「前記変更手段により前記置数」も変更された場合には、「前記所定の置数分の印刷処理を前記変更手段により変更された前記印刷条件に従って実行する」ことなく、「前記変更手段により変更された前記置数分の印刷処理」を実行することを限定する。
　
　ウ　本件補正前の請求項１に記載した発明を特定するために必要な事項である「第２の印刷手段」が、前記変更手段により前記印刷条件が変更されなかった場合に、前記第１の設定手段により設定された置数から前記所定の置数を減算した置数で前記第２の設定手段により設定された前記印刷条件に従って印刷処理を実行するのは、前記変更手段により「前記置数」も変更されなかった場合であることを限定する。
　
　エ　本件補正前の請求項１に記載した「…置数で…印刷処理を実行する」との表現を「…置数分の印刷処理を…実行する」との表現に変更する。
　
２　本件補正の目的
　上記１（２）アないしウの補正は、本件補正前の請求項１に記載した発明を特定するために必要な事項を限定するものであり、上記１（２）エの補正は、実質的な変更を伴わない補正であるから、本件補正後の請求項１に係る補正は、平成１４年法律第２４号改正附則第２条第１項によりなお従前の例によるとされる同法による改正前の特許法第１７条の２第４項第２号の「特許請求の範囲の減縮」を目的とするものである。
　そこで、本件補正後の請求項１に係る発明（以下「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
３　刊行物の記載
（１）原査定の拒絶の理由で引用された「本願の出願前に頒布された刊行物である特開平５−１０７８５２号公報（以下「引用例１」という。）」には、次の事項が図とともに記載されている。
　ア　「【０００１】
【産業上の利用分野】本発明は、電子写真方式による画像形成装置、特に
装置本体から排出されたシートをステープラで綴じたり、パンチで穿孔する等のシート加工処理を行なうシート処理ユニットを備えた画像形成装置
【０００２】
【従来の技術】従来、複写機の分野においては、シートハンドリングの自動化、多様化に対応して、複写されたシートを処理トレイ上に積載し、ステープル処理、パンチ処理、スタンプ処理、のり付け処理等を行なうシート処理ユニットが種々提供されている。
【０００３】しかし、この種のシート処理ユニットを備えた複写機にあっては、１部の原稿について複数部のコピーを連続して作成しているとき、途中でオペレータがコピーの仕上がり状態（画像濃度やシート加工処理の形態）に不満を持った場合、複写動作を強制的に停止させ、複写機の動作モード（例えば、画像濃度）を変更すると共にコピー部数を元に戻す操作を行なった後、複写動作を再開させる必要があり、極めて煩雑であった。
【０００４】
【発明の目的、構成、作用】そこで、本発明の目的は、複数部の画像形成処理を行なう場合、途中でオペレータが画像形成の仕上がり状態を確認できる余裕を有する使い勝手の良好な画像形成装置を提供することにある。以上の目的を達成するため、本発明に係る複写装置は、複数部での画像形成処理が設定された場合、１部目の画像形成／加工処理が終了すると画像形成動作を一旦停止させ、画像形成装置の動作モードが変更されると、画像形成動作のスタート信号の入力に基づいて、画像形成部数として元の設定値を維持したうえで画像形成動作を再開させることを特徴とする。
【０００５】即ち、本発明においては、複数部での画像形成処理が開始されると、１部目のシートに画像を形成して選択された加工処理（例えばステープル処理又はパンチ処理）が終了すると、画像形成動作を一旦停止させる。ここで、オペレータは仕上がった１部目のシートの仕上がり状態をチェックする。仕上がり状態に満足できない場合、オペレータは画像形成装置の動作モード（例えば、画像濃度、場合によってはシートサイズ、シートの加工処理モード）を変更し、スタート信号を入力する。ここで画像形成部数が自動的に元の部数を維持した状態で画像形成動作が再開される。
【０００６】一方、仕上がり状態が満足すべきものであれば、オペレータは単にスタート信号を入力すればよい。これにて、残り部数に対する画像形成動作が再開される。
【０００７】
【実施例】以下、本発明に係る画像形成装置の実施例につき、添付図面を参照して説明する。以下の実施例は本発明を電子写真複写装置に適用したもので、複写機本体にはオプションとしての循環式自動原稿搬送装置及びステープル処理とパンチ処理が可能な
フィニッシャユニット
［第１実施例、図１〜図２３参照］まず、図１を参照して複写装置の概略を説明する。
【０００８】複写機本体１は、矢印ａ方向に回転駆動可能な感光体ドラム２を中心に、光学系３、帯電チャージャ４、現像器５、転写チャージャ６、シート分離チャージャ７、残留トナーのクリーナ８、残留電荷のイレーサランプ９が配設されている。これらの作像用エレメント及び複写工程については周知であるため、その説明は省略する。
【０００９】シートは自動給紙カセット１０，１１に収容されており、いずれかのカセット１０，１１から選択的に１枚ずつ給紙され、タイミングローラ１５によって感光体ドラム２の表面に形成されたトナー像と同期をとって転写部へ搬送される。転写後、シートは搬送ベルト１６を介して定着器１７へ送り込まれてトナーの定着を施され、搬送ローラ１８及び排出ローラ１９を経てフィニッシャユニット５０へ受け渡される。排出ローラ１９の直前にはセンサＳＥ１が設置され、排出されていくシートを検出する。
【００１０】また、この複写機本体１内にはシート反転機構２０が設置されている。シート反転機構２０は通紙方向切換え爪２１、反転ローラ２２、シート検出センサＳＥ２及び図示しないシートガイド板からなる。切換え爪２１は通常図１中実線位置よりも矢印ｂ方向に若干回動した位置にセットされ、シートをその上面によって搬送ローラ１８へガイドする（フェースアップ排紙）。一方、反転モードが選択されると、切換え爪２１は図１中実線位置へセットされる。このとき、シートは切換え爪２１の左側面によって下方へガイドされ、反転ローラ２２の正転によって下方へ搬送される。シートの後端がセンサＳＥ２によって検出されると、反転ローラ２２が逆転し、該シートを上方へ送り戻す。ここでシートは切換え爪２１の右側面によってガイドされつつ搬送ローラ１８へ搬送され、排出ローラ１９からフィニッシャユニット５０へ送り込まれる（フェースダウン排紙）。
【００１１】循環式自動原稿搬送装置３０（以下、ＲＤＨと記す）は、原稿トレイ３１、給紙ローラ３２、搬送ベルト３３、搬送ローラ３４，３５、排出ローラ３６、循環トレイ３７、再給紙ローラ３８にて構成されている。原稿は片面原稿を裏返した状態で原稿トレイ３１上にセットされ、給紙ローラ３２によって最終ページから順次１枚ずつ給紙され、搬送ベルト３３により原稿台ガラス２９上の所定位置へ搬送、停止される。前記光学系３による原稿画像のスキャンが終了すると、原稿は搬送ローラ３３の回転に基づいて原稿台ガラス２９上から左方へ搬送され、搬送ローラ３４，３５を経て排出ローラ３６から循環トレイ３７上に積み重ねられる。このようにして１群の原稿は原稿トレイ３１から循環トレイ３７上へ移し換えられる。
【００１２】フィニッシャユニット５０でのフィニッシュモードが以下に説明するステープルモード又は／及びパンチモードが選択されているとき、１群の原稿は１部目の複写動作時には前述の如く、原稿トレイ３１から給紙され、１回の画像スキャンが終了するごとに循環トレイ３７上へ積み重ねられる。２部目以降の複写動作時において、原稿は再給紙ローラ３８によって最下層に位置する最終ページから順次１枚ずつ原稿台ガラス２９上へ再給紙される。即ち、コピー部数（以下、置数と記す）が“５”の場合、２部目から５部目までの複写時において、原稿はトレイ３７と原稿台ガラス２９との間を４回循環することとなる。
【００１３】ところで、この種のＲＤＨ３０にあっては、循環トレイ３７上でこれから給紙されていく原稿と画像スキャンを終えて戻された原稿を区別し、最終原稿（第１ページ目）の給紙を検出するため、センサＳＥ６とリサイクルレバー４１とが設置されている。リサイクルレバー４１は、図２、図３に示すように、カバー４３にピン４２を支点として回動自在に取り付けられている。このカバー４３は循環トレイ３７の一側に形成した溝部３７ａを往復移動可能に設置され、下方から突入した駆動レバー４４によって往復移動される。
【００１４】原稿が原稿トレイ３１から給紙されるとき、カバー４３及びリサイクルレバー４１は図２（ａ）に示す位置で待機し、リサイクルレバー４１は自重で先端部が循環トレイ３７の溝部３７ａに落ち込んでいる。この状態で画像スキャンを終えた原稿Ｄが循環トレイ３７上に積載される。全ての原稿Ｄが循環トレイ３７上に積載されると、駆動レバー４４が矢印ｅ方向へ移動し、これに伴ってリサイクルレバー４１が上方へ回動すると共にカバー４３が原稿Ｄの一側に近接する位置まで矢印ｅ方向に移動する［図２（ｂ）参照］。ここで、駆動レバー４４がカバー４３の溝部４３ａ内を矢印ｅとは逆方向に移動すると、駆動レバー４４のリサイクルレバー４１の後端部に対する当接が解除される。これにて、リサイクルレバー４１が下方に回動し、先端部が原稿Ｄ上に当接する［図２（ｃ）参照］。
【００１５】原稿Ｄの再給紙はこの状態で最下層に位置する最終ページの原稿から順次行なわれる。スキャンを終えた原稿Ｄ2は、循環トレイ３７上で未給紙の原稿Ｄ1上にリサイクルレバー４１を挟んで積載される［図３（ｄ）参照］。そして、最終原稿（第１ページ目）が給紙されると、リサイクルレバー４１は循環トレイ３７の溝部３７ａに落ち込む［図３（ｅ）参照］。その後、駆動レバー４４が矢印ｅとは逆方向へ移動し、これに伴ってカバー４３とリサイクルレバー４１も移動し、図２（ａ）に示す状態に戻る。さらに、駆動レバー４４が図２（ｂ），（ｃ）に示す位置へ移動することにより、リサイクルレバー４１の先端部が原稿Ｄ上に当接する。
【００１６】図１に示したリサイクルセンサＳＥ６は、リサイクルレバー４１の後端が図２（ａ）及び図３（ｅ）に示す状態にあるときオフ信号を出力し、このオフ信号によって原稿Ｄが一循されたことが検出される。さらに、ＲＤＨ３０には原稿を検出するためにセンサＳＥ６以外にセンサＳＥ３，ＳＥ４，ＳＥ５が設置されている。センサＳＥ３は原稿トレイ３１上での原稿の有無を検出し、センサＳＥ４は原稿枚数をカウントするために給紙された原稿を検出し、センサＳＥ５は循環トレイ３７へ排出される原稿を検出する。
【００１７】ここで、原稿トレイ３１上にセットされた全ての原稿が、あるいは循環トレイ３７上にセットされた全ての原稿が一巡してトレイ３７上に戻される間の画像複写処理を１サイクルの複写処理と定義する。次に、フィニッシャユニット５０の構成、動作について説明する。このフィニッシャユニット５０は、受取りローラ５１、通紙方向切換え爪５２、搬送ローラ５３、排出ローラ５４、昇降／シフトトレイ５５、収容ローラ５６、整合トレイ５７、ステープラ６０、パンチ６１、取出しローラ６５、排出ローラ６６、スタッカ６７にて構成されている。
【００１８】ノンステープルモードにおいて、切換え爪５２は図１中実線位置よりも矢印ｃ方向に若干回動した位置にセットされ、複写機本体から排出されたシートをその上面によってガイドする。シートは搬送ローラ５３を通じて排出ローラ５４から昇降／シフトトレイ５５上へ積載収容される。このトレイ５５はシートの積載量に応じてステップ的に下降可能であり、また、水平方向に往復移動可能であり、１サイクルの複写処理が終了するごとに水平方向に一定量移動し、１群のコピーシートを仕分けする。
【００１９】一方、ステープルモード又は／及びパンチモードが選択されると、切換え爪５２は図１中実線位置へセットされる。このとき、シートは切換え爪５２の左側面によって下方へガイドされ、収容ローラ５６から整合トレイ５７上へ積載収容される。ステープラ６０は針状のステープルによってシート束を自動的に綴じる周知の機構を有している。パンチ６１はパンチロッドによってシート束の所定位置に穿孔する周知の機構を有している。パンチ６１は２穴仕様と３穴仕様とがあり、そのいずれかがフィニッシャユニット５０に組み込まれている。
【００２０】整合トレイ５７はベース板５７ａと整合板５７ｂとで構成され、整合板５７ｂは支軸５７ｃを支点として図１中実線位置と一点鎖線位置との間で回動可能とされいる。整合板５７ｂは通常実線位置にセットされ、この状態でシートの収容、整合、ステープル又は／及びパンチ処理が行なわれる。必要な処理が終了すると、整合板５７ｂは一点鎖線位置に回動し、処理済みのシート束は自重で整合トレイ５７から滑り出し、取出しローラ６５から排出ローラ６６を経てスタッカ６７へ積載収容される。排出ローラ６６の直前にはセンサＳＥ７が設置され、排出されていくシート束を検出する。
【００２１】次に、操作パネルについて説明する。操作パネルは
複写機本体１に設けた本体操作パネル７０
フィニッシャユニット５０に設けたフィニッシャ操作パネル９０（図５参照）が存在
本体操作パネル７０には以下のスイッチ内蔵のキー、表示器が設置され
【００２２】
コピースタートキー７１
割込みキー７２
クリア／ストップキー７３
テンキー７４
【００２３】
表示部７５
設定された置数や複写機の状態等を表示する
濃度アップキー７６、濃度ダウンキー７７
画像濃度を設定する
表示用ＬＥＤ７８
キー７６，７７によって設定された画像濃度を表示する
用紙選択キー８１
コピーすべきシートサイズを選択する
表示用ＬＥＤ８２
キー８１によって選択されたシートサイズを表示する
【００２４】
倍率選択キー８３
表示用ＬＥＤ８４
キー８３によって選択されたコピー倍率を表示する
一方、
フィニッシャ操作パネル９０には、フィニッシュモード選択キー９１、ノンステープルモード表示用ＬＥＤ９２、ステープルモード表示用ＬＥＤ９３、ステープル／パンチモード表示用ＬＥＤ９４及びパンチモード表示用ＬＥＤ９５が設置されてい
モード選択キー９１を１回オンするごとにステープルモード、ステープル／パンチモード、パンチモード、ノンステープルモードの順序で切り換えられ、対応するＬＥＤ９３，９４，９５，９２が順次点灯する
【００２５】図６は本第１実施例の複写装置の制御回路を示す。この制御回路は複写機本体１を制御するＣＰＵ１０１、ＲＤＨ３０を制御するＣＰＵ１０２、フィニッシャユニット５０を制御するＣＰＵ１０３及び光学系３を制御する図示しないＣＰＵにて構成され、ＣＰＵ１０１は他のＣＰＵとそれぞれ必要な信号を通信可能である。
【００２６】ＣＰＵ１０１の入出力ポートには帯電チャージャ４、転写チャージャ６等の各作像エレメント及び操作パネル７０上の各種ＬＥＤ、キーが接続され、またセンサＳＥ１，ＳＥ２からの検出信号が入力される。ＣＰＵ１０２は給紙モータ、搬送モータ、リサイクルレバー駆動モータ及び操作パネル９０上のＬＥＤ９２〜９５、キー９１が接続され、またセンサＳＥ３〜ＳＥ６からの検出信号が入力される。ＣＰＵ１０３は搬送モータ、ステープラ駆動モータ、パンチ駆動モータ、シフトトレイ昇降モータ、シフトモータ等が接続され、またセンサＳＥ７からの検出信号が入力される。
【００２７】次に、前記制御回路による複写装置の制御手順について詳述する。ところで、以下の説明において、オンエッジとはスイッチ、センサ、信号等がオフ状態からオン状態に切り換わることを意味し、オフエッジとはスイッチ、センサ、信号等がオン状態からオフ状態に切り換わることを意味する。また、有接点センサＳＥ１〜ＳＥ５，ＳＥ７は原稿又はシートを検出するとオンし、無接点のフォトセンサであるリサイクルセンサＳＥ６は光軸がリサイクルレバー４１の後端部で遮断されるとオフする。
【００２８】図７は
複写機本体１を制御するＣＰＵ１０１のメインルーチン
電源が投入され、ＣＰＵ１０１のプログラムがスタート
まず、ステップＳ１でＲＡＭのクリア、各種レジスタの初期化、各種機器を初期モードに設定するための初期設定を行なう。次に、ステップＳ２で内部タイマをスタートさせる。
【００２９】
次に、ステップＳ３〜Ｓ８の各サブルーチンを順次コールし、ステップＳ９で内部タイマの終了を待ってステップＳ２へ戻る。ステップＳ３ではコピーモード、フィニッシュモードを設定する。ステップＳ４では置数（コピー部数）を設定する。ステップＳ５では選択されたフィニッシュモードに応じてシート許容枚数を設定する。ステップＳ６では他のＣＰＵとの通信を行なう。ステップＳ７ではシートを給紙すべきか否かを決定し、シートの給紙動作を処理する。ステップＳ８では複写機本体１におけるコピー処理を行なう
【００３０】以上の各サブルーチンについては図８〜図１６を参照して説明する。図８はステップＳ３で
実行されるモード設定のサブルーチン
まず、
コピーフラグが「０」か否かを判定
コピーフラグはコピースタートキー７１がオンされると「１」にセットされ
１部目のシートに対するフィニッシュ処理が完了したとき及び最終コピーサイクルでのフィニッシュ処理が完了したとき「０」にリセットされる
コピーフラグが「１」にセットされていれば、直ちにこのサブルーチンを終了し、「０」にリセットされているとき以下の処理を実行する
【００３１】即ち、ステップＳ３０２で
フィニッシュモード選択キー９１がオンエッジか否かを判定し、オンエッジであれば
ノンステープルフラグ、ステープルフラグ、ステープル／パンチフラグが「１」か否かを判定
ノンステープルフラグが「１」にセットされていれば
ステープルフラグを「１」にセットし、ノンステープルフラグを「０」にリセットする。ステープルフラグが「１」にセットされていれば
ステープル／パンチフラグを「１」にセットし、ステープルフラグを「０」にリセットする。ステープル／パンチフラグが「１」にセットされていれば
パンチフラグを「１」にセットし、ステープル／パンチフラグを「０」にリセットする。
パンチフラグが「１」にセットされていれば
ノンステープルフラグを「１」にセットし、パンチフラグを「０」にリセット
【００３２】
次に、
シートサイズの選択、画像濃度の設定を行ない、メインルーチンへ戻
置数設定のサブルーチン
コピーフラグが「０」か否かを判定し、「０」にリセットされていれば、即ちコピー処理及びフィニッシュ処理中でなければ、
テンキー７４により置数が入力されたか否かを判定する。入力されれば
カウンタＰ，Ｑに置数をメモリ
カウンタＱは入力された置数を示
カウンタＰは残りコピー部数を示す
【００３３】
次に、
１サイクル終了フラグが「１」か否かを判定
最終原稿（１ページ目）が
給紙されると「１」にセットされ
１サイクルのシートに対するフィニッシュ処理が完了したとき「０」にリセットされる
フラグが「１」にセットされてれば
カウンタＰ，Ｑの数値が等しいか否かを判定
等しければ現在１部目のコピー処理が終了した時点であるため、一旦コピー処理を停止させる。このとき、オペレータがコピー画像の良否あるいはフィニッシュ処理の適否を判断することとなる。コピー画像が満足すべきもので、フィニッシュ処理の選択が適切であれば、コピースタートキー７１をオンすることにより、残りコピー部数に相当する（残り置数）回数のコピー処理が再開される。もし、このときコピー画像が満足すべきものでなかったり、フィニッシュ処理の選択が不適切であれば、オペレータは濃度アップキー７６、ダウンキー７７等を操作してコピー処理モードを変更し、コピースタートキー７１をオンする。このようにコピー処理モードが変更されると、最初に設定した置数回数だけコピー処理が再開される
【００３４】即ち、ステップＳ４０６で
処理変更フラグが「０」か否かを判定
処理変更フラグは１部目のコピー処理、フィニッシュ処理終了後コピースタートキー７１がオンされたとき、コピー処理モードの変更が確認されると「１」にセットされる
処理変更フラグが「０」にリセットされていれば、
１部目終了フラグを「１」にセットし、
コピースタートキー７１がオンエッジか否かを判定し、オンエッジでなければこのサブルーチンを終了
キー７１がオンエッジであれば
１部目終了フラグを「０」にリセットし、
コピー処理モードが変更されたか否かを判定
処理モードが変更されていな
カウンタＰを“１”だけ減算し、残り置数を表示
続いて、
カウンタＰの数値が“０”か否かを判定し、“０”であれば
最終リサイクルフラグを「１」にセットし、
カウンタＱを“０”にリセット
【００３５】一方、ステップＳ４１０で
コピー処理モードが変更されたと判定すると、この場合はカウンタＰを減算することなく
処理変更フラグを「１」にセットし、
コピーサイクル終了時にステップＳ４０６でＮＯと判定され、ステップＳ４１１で処理変更フラグを「０」にリセットし
【００３６】なお、１サイクル終了フラグは１部のシートにつきフィニッシュ処理が完了すると「０」にリセットされる（ステップＳ６０４参照）が、この場合はステップＳ４０４でＮＯと判定され、ステップＳ４１６で
１部目終了フラグをチェックし、
【００３７】図１１、図１２は
ステップＳ５で実行され
許容枚数設定のサブルーチン
現在選択されているフィニッシュモードを判定し、それに応じて許容枚数を設定
【００３８】また、ステップＳ５０３ではパンチフラグが「１」か否かを判定し、ＹＥＳであればステップＳ５０４で２穴仕様か否かを判定する。パンチ６１は２穴仕様と３穴仕様とがあり、そのいずれかがフィニッシャユニット５０にセットされている。従って、２穴仕様であればステップＳ５０５でその許容枚数であるｙ1を許容枚数としてメモリする。一方、３穴仕様であればステップＳ５０６でその許容枚数であるｙ2を許容枚数Ｙとしてメモリする。
【００３９】また、ステップＳ５０７ではステープル／パンチフラグが「１」か否かを判定し、ＹＥＳであればステップＳ５０８でステープル処理の許容枚数ｘをＸとしてメモリし、ステップＳ５１０又はＳ５１１でパンチ処理の許容枚数ｙ1又はｙ2をＹとしてメモリする。続いて、ステップＳ５１２で許容枚数ＸとＹを比較し、ＹがＸよりも小さければステップＳ５２３で整合トレイ５７の許容枚数としてＹをメモリする。一方、ＸがＹと等しいか小さければステップＳ５１７で整合トレイ５７の許容枚数としてＸをメモリする。即ち、ＸとＹが異なっている場合、小さい値がステープル／パンチモードの許容枚数として設定される。
【００４０】なお、それぞれのフィニッシュモードにおける許容枚数ｘ，ｙ1，ｙ2はＣＰＵ１０１のＲＯＭに格納されている。次に、ステップＳ５１４又はＳ５１８で容量オーバーフラグが「１」か否かを判定する。容量オーバーフラグはＲＤＨ３０での原稿枚数のカウント時に給紙された原稿が許容枚数Ｙ又はＸに達すると「１」にセットされる（ステップＳ１４０５参照）。従って、給紙された原稿枚数がメモリされている許容枚数Ｙ又はＸに達するまではステップＳ５１４又はＳ５１８でＮＯと判定され、このサブルーチンを終了する。一方、許容枚数に達するとステップＳ５１４又はＳ５１８でＹＥＳと判定され、パンチ処理の許容枚数の方が少ない場合は、ステップＳ５１５でステープルフラグを「１」にセットすると共にステープル／パンチフラグを「０」にリセットし、かつ、容量オーバーフラグを「０」にリセットする。さらに、ステップＳ５１６で原稿枚数カウンタＮ（ステップＳ１４０２参照）の値を“０”にリセットする。また、ステープル処理の許容枚数の方が少ない場合は、ステップＳ５１９でパンチフラグを「１」にセットすると共にステープル／パンチフラグを「０」にリセットし、かつ、容量オーバーフラグを「０」にリセットする。さらに、ステップＳ５２０で原稿枚数カウンタＮの値を“０”にリセットする。
【００４１】以上の制御において、ステープルモードとパンチモードが同時に選択されると、許容枚数はいずれかのモードのうち少ない許容枚数に設定され、整合トレイ５７へ収容されるシート枚数がその許容枚数に達すると、多い方の許容枚数のフィニッシュモードに自動的に切り換える。そして、それ以後は許容枚数は切り換えられたフィニッシュモードの許容枚数に再設定される（ステップＳ５０２，Ｓ５０５，Ｓ５０６参照）。
【００４２】図１３は
ステップＳ６で実行される他のＣＰＵとの通信のサブルーチン
フィニッシュ完了フラグが「１」か否かを判定する。フィニッシュ完了フラグはフィニッシュ処理された１部のシート束がスタッカ６７へ排出されると「１」にセットされる
フィニッシュ完了フラグが「１」にセット
されていれば、
１部目終了フラグが「１」にセットされていることを確認のうえ
コピーフラグを「０」にリセットする
【００４３】次に、ステップＳ６０４で
１サイクル終了フラグ、容量オーバーフラグ、フィニッシュ完了フラグ及び最終リサイクルフラグをそれぞれ「０」にリセットする
ステップＳ７で実行される給紙決定のサブルーチン
【００４４】ここでは、まず、ステップＳ７０１で給紙禁止フラグが「０」か否かを判定する。給紙禁止フラグは給紙された原稿の枚数が許容枚数Ｘ又はＹに達すると「１」にセットされる（ステップＳ７１１参照）。従って、給紙禁止フラグが「１」にセットされていればステップＳ７０５で容量オーバーフラグが「０」か否かを判定し、「１」にセットされていればステップＳ７１３へ移行する。
給紙禁止フラグが「０」にリセットされていれば、
コピーフラグが「０」か否かを判定
コピーフラグが「０」にリセットされていれば、即ち、コピー処理中及びフィニッシュ処理中でなければ、
コピースタートキー７１がオンエッジか否かを判定
【００４５】次に、ステップＳ７０３で
コピースタートキー７１のオンエッジが確認されると、
コピーフラグを「１」にセットし、
【００４６】即ち、給紙された原稿の枚数が許容枚数に達すれば、その原稿に対するコピー処理は行ない、以後のシートの給紙を禁止する。一方、この給紙禁止フラグが「１」にセットされた後であっても容量オーバーフラグが「０」にリセットされれば（ステップＳ７０５でＹＥＳ）、ステップＳ７０６で給紙禁止フラグを「０」にリセットする。その後、ステップＳ７０７で給紙駆動がオンしていることを確認のうえステップＳ７１３へ移行する。
【００４７】次に、ステップＳ７１３ではカウントフラグが「０」か否かを判定し、「０」にリセットされていれば、ステップＳ７１４で給紙駆動を停止させる。続いて、ステップＳ７１５で
最終リサイクルフラグが「１」か否かを判定する。「１」にセットされていれば、即ち最後の置数に対応するコピー処理中であれば
フィニッシュ完了フラグが「１」にセットされていることを確認のうえ、
コピーフラグ及び最終リサイクルフラグを「０」にリセットする
【００４８】図１６は
ステップＳ８で実行されるコピー処理のサブルーチン
コピーフラグが「１」か否かを判定し、該フラグが「１」にセットされているときのみ
コピー処理を実行
【００４９】図１７はＲＤＨ３０を制御するＣＰＵ１０２のメインルーチンを示す。電源が投入され、ＣＰＵ１０２のプログラムがスタートすると、まず、ステップＳ１１でＲＡＭのクリア、各種レジスタの初期化、各種機器を初期モードに設定するための初期設定を行なう。次に、ステップＳ１２で内部タイマをスタートさせる。内部タイマはこのメインルーチンにおける１ルーチンの所要時間を定めるもので、その値は予めステップＳ１１でセットされる。
【００５０】次に、ステップＳ１３〜Ｓ１７の各サブルーチンを順次コールし、ステップＳ１８で内部タイマの終了を待ってステップＳ１２へ戻る。ステップＳ１３では原稿トレイ３１又は循環トレイ３７から原稿を１枚ずつ給紙する。ステップＳ１４では給紙された原稿の枚数をカウントする。ステップＳ１５では給紙された原稿を原稿台ガラス２９上の所定位置にセットする。ステップＳ１６では原稿を原稿台ガラス２９上から循環トレイ３７上へ排出する。ステップＳ１７では原稿の仕分け及び最終原稿の給紙検出のためにリサイクルレバー４１をセットする。以上の各サブルーチンについては図１８〜図２０を参照して説明する。但し、ステップＳ１５，Ｓ１６は本発明との関連性がないため、その説明は省略する。
【００５１】また、複写機本体１を制御するＣＰＵ１０１からの割込み要求があると、随時ステップＳ２１でＣＰＵ１０１と通信を行なう。図１８はステップＳ１３で実行される原稿給紙のサブルーチンを示す。まず、ステップＳ１３０１でコピースタートキー７１がオンエッジか否かを判定し、オンエッジであればステップＳ１３０７で原稿を給紙する。ここでは、１部目のコピー処理であれば最終ページの原稿が原稿トレイ３１から給紙される。また、一部目のコピー処理が終了して一旦コピー処理が停止された後、２部目のコピー処理のためにコピースタートキー７１がオンされたのであれば、最終ページの原稿が循環トレイ３７から給紙される。
【００５２】コピースタートキー７１がオンエッジでなければ、ステップＳ１３０２でスキャン終了フラグが「１」か否かを判定する。スキャン終了フラグは光学系３を制御するＣＰＵ（図示せず）において１枚の原稿に対する光学系３によるスキャンが終了すると「１」にセットされ、その状態はＣＰＵ１０１を介してＣＰＵ１０２へ通信させる。従って、スキャン終了フラグが「０」にリセットされていれば、スキャン中であるためにこのサブルーチンを終了し、「１」にセットされていればリサイクルセンサＳＥ６がオフか否かを判定する。リサイクルセンサＳＥ６はリサイクルレバー４１が図２（ａ）又は図３（ｅ）の状態のときオフとなる。即ち、スキャンが終了しており、かつ、リサイクルセンサＳＥ６がオンであれば、ステップＳ１３０７へ移行し、原稿を循環トレイ３７から給紙する。
【００５３】リサイクルセンサＳＥ６がオフされていれば、最終原稿（１ページ目）が給紙された状態であり、以下のステップＳ１３０４，Ｓ１３０５，Ｓ１３０６でＹＥＳと判定すると、ステップＳ１３０７で原稿を循環トレイ３７から給紙する。即ち、ステップＳ１３０４で１部目終了フラグが「０」にリセットされていると判定し、ステップＳ１３０５で最終リサイクルフラグが「０」にリセットされていると判定し、ステップＳ１３０６でフィニッシュ完了フラグが「１」にセットされていると判定すると、原稿を給紙する。１部目終了フラグがセットされていれば（ステップＳ１３０４でＮＯ）、コピースタートキー７１のオンを待つためにメインルーチンへ戻る。最終リサイクルフラグが「１」にセットされていれば（ステップＳ１３０５でＮＯ）、最終置数の最終原稿が給紙されたためにメインルーチンへ戻る。フィニッシュ完了フラグが「０」にリセットされていれば（ステップＳ１３０６でＮＯ）、フィニッシュ処理の完了を待って次のコピーサイクルでの原稿の給紙を行なうため、メインルーチンへ戻る。
【００５４】図１９はステップＳ１４で実行される原稿カウントのサブルーチンを示す。ここでは、まず、ステップＳ１４０１でセンサＳＥ４がオンエッジか否かを判定する。オンエッジであれば、即ち、給紙された原稿の先端がセンサＳＥ４で検出されると、ステップＳ１４０２でカウンタＮをインクリメントし、ステップＳ１４０３でカウントフラグを「１」にセットする。続いて、ステップＳ１４０４でカウンタＮの値がそのとき設定されているフィニッシュモードの許容枚数に等しいか否かを判定し、許容枚数に達していなければメインルーチンへ戻る。許容枚数に達すれば、ステップＳ１４０５で容量オーバーフラグを「１」にセットする。
【００５５】一方、センサＳＥ４がオンエッジでなければ、ステップＳ１４０６でセンサＳＥ４がオフエッジか否かを判定する。オフエッジでなければメインルーチンへ戻り、オフエッジであれば、即ち、原稿の後端がセンサＳＥ４で検出されると、ステップＳ１４０７でカウントフラグを「０」にリセットする。図２０はステップＳ１７で実行されるリサイクルレバーセットのサブルーチンを示す。
【００５６】まず、ステップＳ１７０１でコピースタートキー７１がオンエッジであると確認されると、ステップＳ１７０２でセンサＳＥ３がオフか否かを判定する。センサＳＥ３がオフであれば、全ての原稿が原稿トレイ３１から給紙されて循環トレイ３７上へ収容されているため、ステップＳ１７０３でリサイクルレバー４１をセットする。即ち、リサイクルレバー４１の先端部を原稿上に当接させる。
【００５７】次に、ステップＳ１７０４，Ｓ１７０５でセンサＳＥ２及びセンサＳＥ６がオフか否かを判定する。共にオフであれば、１サイクルのコピー処理が終了しているため、ステップＳ１７０６で１サイクル終了フラグを「１」にセットする。続いて、ステップＳ１７０７でフィニッシュ完了フラグが「１」か否か、ステップＳ１７０８で最終リサイクルフラグが「０」か否か、ステップＳ１７０９で１部目終了フラグが「０」か否かを判定する。全てＹＥＳであれば、即ち、１部のシートに対するフィニッシュ処理が完了し、置数分のコピー処理がまだ残っており、かつ、１部目のコピー処理の終了時でなければ、ステップＳ１７１０でリサイクルレバー４１を原稿上にセットする。
【００５８】図２１はフィニッシャユニット５０を制御するＣＰＵ１０３のメインルーチンを示す。電源が投入され、ＣＰＵ１０３のプログラムがスタートすると、まず、ステップ２１でＲＡＭのクリア、各種レジスタの初期化、各種機器を初期モードに設定するための初期設定を行なう。次に、ステップＳ２２で内部タイマをスタートさせる。内部タイマはこのメインルーチンにおける１ルーチンの所要時間を定めるもので、その値は予めステップＳ２１でセットされる。
【００５９】次に、ステップＳ２３〜Ｓ２８の各サブルーチンを順次コールし、ステップＳ２９で内部タイマの終了を待ってステップＳ２２へ戻る。ステップＳ２３では複写機本体１から排出されたシートをフィニッシャユニット５０へ収容するため、シート搬送系を駆動させる。ステップＳ２４ではフィニッシャユニット５０へ送り込まれたシートの枚数をカウントする。ステップＳ２５ではノンステープルモード時にシートを昇降／シフトトレイ５５へ収容し、同時にトレイ５５の昇降、シフト動作も処理する。ステップＳ２６ではまずステープルモード又は／及びパンチモード時にシートを整合トレイ５７へ収容し、１枚ずつ整合させる。ステップＳ２７では整合トレイ５７上のシートに対して設定されているフィニッシュモードでフィニッシュ処理を行なう。ステップＳ２８ではシート束を整合トレイ５７から排出し、スタッカ６７へ収容する。
【００６０】以上の各サブルーチンのうちステップＳ２７，Ｓ２８について図２２、図２３を参照して説明する。他のサブルーチンについては本発明との関連性がないため、その説明は省略する。図２２はステップＳ２７で実行されるフィニッシュ処理のサブルーチンを示す。
【００６１】ここでは、まず、ステップＳ２７０１で整合完了フラグが「１」か否かを判定する。整合完了フラグはメインルーチンのステップＳ２６で実行されるシート整合処理においてシートの整合が完了すると「１」にセットされる。従って、整合フラグが「０」にリセットされているときは直ちにメインルーチンへ戻る。整合フラグが「１」にセットされていれば、ステップＳ２７０２で容量オーバーフラグが「１」か否かを判定する。容量オーバーフラグが「０」にリセットされていれば、ステップＳ２７０４でパンチフラグが「１」か否か、ステップＳ２７０６でステープルフラグが「１」か否かを判定する。現在パンチモードが設置されていれば（ステップＳ２７０４でＹＥＳ）、ステップＳ２７０５で整合トレイ５７上のシートに対してパンチ処理を行なう。また、ステープルモードが設置されていれば（ステップＳ２７０６でＹＥＳ）、ステップＳ２７０７でシートに対してステープル処理を行なう。あるいは、ステープル／パンチモードが設定されていれば（ステップＳ２７０４，Ｓ２７０６でＮＯ）、ステップＳ２７０８でシートに対してステープル処理及びパンチ処理を行なう。
【００６２】一方、容量オーバーフラグが「１」にセットされていても、パンチモードが設定されていれば（ステップＳ２７０２，Ｓ２７０３でＹＥＳ）、ステップＳ２７０５でシートに対してパンチ処理を行なう。図２３はステップＳ２８で実行されるシート排出のサブルーチンを示す。まず、ステップＳ２８０１でフィニッシュ処理されたシート束を整合トレイ５７から下方に排出する。ここでシート束はスタッカ６７に収容される。収容途中において、ステップＳ２８０２でセンサＳＥ７のオフエッジと判定すると、即ち、スタッカ６７へ収容されるシート束の後端がセンサＳＥ７にて検出されると、ステップＳ２８０３でフィニッシュ完了フラグを「１」にセットする。」
　
　イ　「【００７８】リサイクルセンサＳＥ６がオフされていれば、ステップＳ１９０５，Ｓ１９０６，Ｓ１９０７でＹＥＳと判定すると、次の１サイクルのコピー処理のためにステップＳ１９０９で原稿を循環トレイ３７から給紙する。即ち、リサイクルセンサＳＥ６がオフのとき（原稿が一巡したとき）、１部目のコピー終了時ではなく、最終リサイクル時ではなく、かつフィニッシュ処理が完了した後、原稿を給紙する。
［他の実施例］なお、本発明に係る画像形成装置は前記実施例に限定するものではなく、その要旨の範囲内で種々に変更することができる。
【００７９】例えば、前記実施例において、
複写機本体１は
原稿画像をデジタル方式で読み取り、読み取った画像情報をレーザビームで感光体上に露光する
【００８０】また、フィニッシャユニットにおけるシート加工処理としては、ステープル処理、パンチ処理以外にも、のり付け処理、スタンプ処理等種々の処理を採用できる。さらに、フィニッシャユニットはシートをページ揃えするソータ機能を有していてもよい。」
　
　ウ　「【００８１】
【発明の効果】以上の説明で明らかなように、本発明によれば、複数部での画像形成処理が設定された場合、１部目の画像形成／加工処理が終了すると、画像形成動作を一旦停止させ、画像形成装置の動作モードが変更されると、画像形成動作のスタート信号の入力に基づいて、画像形成部数として元の設定値を維持したうえで画像形成動作を再開するようにしたため、
オペレータが画像形成の仕上がりを確認できる余裕を持つことができ、２部目以降の無駄な画像形成処理を回避できる。しかも、動作モードを変更してスタート信号を入力すれば、自動的に元の部数のままで画像形成動作が再開され
　
　エ　図８には、ステップＳ３０２の判断で「ＮＯ」の場合はリターンする旨記載されているが、上記ア【００３０】の「コピーフラグが「１」にセットされていれば、直ちにこのサブルーチンを終了し、「０」にリセットされているとき以下の処理を実行する。」との記載と、上記ア【００３１】及び【００３２】の「即ち、ステップＳ３０２でフィニッシュモード選択キー９１がオンエッジか否かを判定し、オンエッジであればステップＳ３０３，Ｓ３０５，Ｓ３０７でそれぞれノンステープルフラグ、ステープルフラグ、ステープル／パンチフラグが「１」か否かを判定する。…略…次に、ステップＳ３１０でシートサイズの選択、画像濃度の設定を行ない、メインルーチンへ戻る。」との記載を読み比べれば、ステップＳ３０２の判断で「ＮＯ」の場合はステップＳ３１０に進む旨の記載の誤記であることが明らかである。
　
　オ　図７ないし図２３の記載を参照すれば、上記アないしエから、引用例１には、次の発明が記載されているものと認められる。
　
「原稿画像をデジタル方式で読み取り、読み取った画像情報をレーザビームで感光体上に露光する複写機本体と、該複写機本体から排出されたシートをステープラで綴じたり、パンチで穿孔する等のシート加工処理を行なうシート処理ユニットであるフィニッシャユニットとを備えた画像形成装置であって、
　前記複写機本体には、本体操作パネルが設けられ、該本体操作パネルには、コピースタートキー、割込みキー、クリア／ストップキー、テンキー、設定された置数や複写機の状態等を表示する表示部、画像濃度を設定する濃度アップキー及び濃度ダウンキー、濃度アップキー及び濃度ダウンキーによって設定された画像濃度を表示する表示用ＬＥＤ、コピーすべきシートサイズを選択する用紙選択キー、用紙選択キーによって選択されたシートサイズを表示する表示用ＬＥＤ、倍率選択キー、及び、倍率選択キーによって選択されたコピー倍率を表示する表示用ＬＥＤが設置され、
　前記フィニッシャユニットには、フィニッシャ操作パネルが設けられ、該フィニッシャ操作パネルには、フィニッシュモード選択キー、ノンステープルモード表示用ＬＥＤ、ステープルモード表示用ＬＥＤ、ステープル／パンチモード表示用ＬＥＤ及びパンチモード表示用ＬＥＤが設置されていて、前記フィニッシュモード選択キーを１回オンするごとにステープルモード、ステープル／パンチモード、パンチモード、ノンステープルモードの順序で切り換えられ、対応する各ＬＥＤが順次点灯するようになっており、
　前記複写機本体を制御するＣＰＵのメインルーチンは、
　　電源が投入されるとプログラムがスタートし、まず、ステップＳ１でＲＡＭのクリア、各種レジスタの初期化、各種機器を初期モードに設定するための初期設定を行ない、次に、ステップＳ２で内部タイマをスタートさせ、次に、ステップＳ３〜Ｓ８の各サブルーチンを順次コールし、ステップＳ９で内部タイマの終了を待ってステップＳ２へ戻るものであり、
　　前記ステップＳ３では、コピーモード、フィニッシュモードを設定するモード設定のサブルーチンが実行され、まず、コピースタートキーがオンされると“１”にセットされ、１部目のシートに対するフィニッシュ処理が完了したとき及び最終コピーサイクルでのフィニッシュ処理が完了したとき“０”にリセットされるコピーフラグが“０”か否かの第１の判定をし、該第１の判定でコピーフラグが“１”にセットされていれば、直ちにこのサブルーチンを終了し、前記第１の判定でコピーフラグが“０”にリセットされているときは、フィニッシュモード選択キーがオンエッジか否かの第２の判定をし、該第２の判定でフィニッシュモード選択キーがオンエッジである場合には、ノンステープルフラグ、ステープルフラグ、ステープル／パンチフラグが“１”か否かを判定し、ノンステープルフラグが“１”にセットされていればステープルフラグを“１”にセットし、ノンステープルフラグを“０”にリセットし、ステープルフラグが“１”にセットされていればステープル／パンチフラグを“１”にセットし、ステープルフラグを“０”にリセットし、ステープル／パンチフラグが“１”にセットされていればパンチフラグを“１”にセットし、ステープル／パンチフラグを“０”にリセットし、パンチフラグが“１”にセットされていればノンステープルフラグを“１”にセットし、パンチフラグを“０”にリセットして、その次にシートサイズの選択、画像濃度の設定を行なった後に、前記第２の判定でフィニッシュモード選択キーがオンエッジでない場合には、直ちにシートサイズの選択、画像濃度の設定を行なった後に、このサブルーチンを終了し、メインルーチンへ戻るようになっており、
　　前記ステップＳ４では、置数（コピー部数）を設定する置数設定のサブルーチンが実行され、コピーフラグが“０”か否かの第３の判定をし、該第３の判定でコピーフラグが“０”にリセットされていれば、即ちコピー処理及びフィニッシュ処理中でなければ、テンキーにより置数が入力されたか否かの第４の判定をし、該第４の判定で、置数が入力されれば、残りコピー部数を示すカウンタＰ及び入力された置数を示すカウンタＱのそれぞれにその置数をメモリした後に、前記第３及び第４の判定で否の場合は直ちに、最終原稿（１ページ目）が給紙されると“１”にセットされ１サイクルのシートに対するフィニッシュ処理が完了したとき“０”にリセットされる１サイクル終了フラグが“１”か否かの第５の判定をし、該第５の判定で１サイクル終了フラグが“１”にセットされていれば前記カウンタＰ及び前記カウンタＱの数値が等しいか否かの第６の判定をし、該第６の判定で等しければ、１部目のコピー処理及びフィニッシュ処理終了後にコピースタートキーがオンされたときコピー処理モードの変更が確認されると“１”にセットされる処理変更フラグが“０”か否かの第７の判定をし、該第７の判定で、処理変更フラグが“０”にリセットされていると判断されて、１部目終了フラグを“１”にセットした場合、または、前記第５の判定で１サイクル終了フラグが“０”にリセットされていた場合でかつ１部目終了フラグをチェックして“１”であった場合、コピースタートキーがオンエッジか否かの第８の判定をし、該第８の判定でコピースタートキーがオンエッジであれば、１部目終了フラグを“０”にリセットし、コピー処理モードが変更されたか否かの第９の判定をし、該第９の判定で処理モードが変更されていないと判定された場合、前記第７の判定で否であって前記処理変更フラグを“０”にリセットした場合、及び、前記第６の判定で等しくないと判定された場合には、前記カウンタＰを“１”だけ減算し、残り置数を表示し、続いて、前記カウンタＰの数値が“０”か否かの第１０の判定をし、該第１０の判定で前記カウンタＰの数値が“０”であれば最終リサイクルフラグを“１”にセットし、前記カウンタＱを“０”にリセットしてからこのサブルーチンを終了し、前記第８の判定でコピースタートキーがオンエッジでない場合、前記第５の判定で１サイクル終了フラグが“０”にリセットされていた場合でかつ１部目終了フラグをチェックして“１”でなかった場合、前記第１０の判定で前記カウンタＰの数値が“０”でない場合、または、前記第９の判定でコピー処理モードが変更されたと判定され、前記カウンタＰを減算することなく、処理変更フラグを“１”にセットした場合には、直ちにこのサブルーチンを終了し、メインルーチンへ戻るようになっており、
　　前記ステップＳ５では、選択されたフィニッシュモードに応じてシート許容枚数を設定する許容枚数設定のサブルーチンが実行され、現在選択されているフィニッシュモードを判定し、それに応じて許容枚数を設定してメインルーチンへ戻るようになっており、
　　前記ステップＳ６では、他のＣＰＵとの通信を行なう他のＣＰＵとの通信のサブルーチンが実行され、フィニッシュ処理された１部のシート束がスタッカへ排出されると“１”にセットされるフィニッシュ完了フラグが“１”か否かの第１１の判定をし、該第１１の判定でフィニッシュ完了フラグが“１”にセットされていれば、１部目終了フラグが“１”にセットされていることを確認のうえコピーフラグを“０”にリセットした後、１サイクル終了フラグ、容量オーバーフラグ、フィニッシュ完了フラグ及び最終リサイクルフラグをそれぞれ“０”にリセットするようになっており、
　　前記ステップＳ７では、シートを給紙すべきか否かを決定しシートの給紙動作を処理する給紙決定のサブルーチンが実行され、給紙禁止フラグが“０”にリセットされていれば、コピーフラグが“０”か否かを判定し、コピーフラグが“０”にリセットされていれば、即ち、コピー処理中及びフィニッシュ処理中でなければ、コピースタートキーがオンエッジか否かを判定し、コピースタートキーのオンエッジが確認されると、コピーフラグを“１”にセットし、また、最終リサイクルフラグが“１”か否かを判定し、“１”にセットされていれば、即ち最後の置数に対応するコピー処理中であれば、フィニッシュ完了フラグが“１”にセットされていることを確認のうえ、コピーフラグ及び最終リサイクルフラグを“０”にリセットするようになっており、
　　前記ステップＳ８では、前記複写機本体におけるコピー処理を行なうコピー処理のサブルーチンが実行され、コピーフラグが“１”か否かの第１２の判定をし、該第１２の判定で、コピーフラグが“１”にセットされているときのみコピー処理を実行するようになっており、
　　前記第６の判定で前記カウンタＰ及び前記カウンタＱの数値が等しいと判定されれば、現在１部目のコピー処理が終了した時点であるため、一旦コピー処理を停止させて、このとき、オペレータがコピー画像の良否あるいはフィニッシュ処理の適否を判断することができるようになっており、コピー画像が満足すべきもので、フィニッシュ処理の選択が適切であれば、コピースタートキーをオンすることにより、残りコピー部数に相当する（残り置数）回数のコピー処理を再開させることができ、もし、このときコピー画像が満足すべきものでなかったり、フィニッシュ処理の選択が不適切であれば、オペレータは濃度アップキー、濃度ダウンキー等を操作してコピー処理モードを変更し、コピースタートキーをオンすることで、このように変更されたコピー処理モードで、最初に設定した置数回数だけコピー処理が再開されるように制御するものであり、
　オペレータが画像形成の仕上がりを確認できる余裕を持つことができ、２部目以降の無駄な画像形成処理を回避でき、しかも、動作モードを変更してスタート信号を入力すれば、自動的に元の部数のままで画像形成動作が再開される画像形成装置。」（以下「引用発明１」という。）
　
（２）原査定の拒絶の理由で引用された「本願の出願前に頒布された刊行物である特開平１０−４４６７号公報（以下「引用例２」という。）」には、次の事項が図とともに記載されている。
　ア　「【００１７】
【発明の実施の形態】
〔実施の形態１〕図１は、この発明の実施の形態１に係る
画像形成装置
ＡＤＦ１０１の原稿台１０２上に
置かれた原稿束
操作部２０１上のプリントキー２０２が押下されると一番下の原稿から
コンタクトガラス１０５上の所定の原稿読取位置に給送
【００１８】コンタクトガラス１０５上に給送された原稿は、
読み取りユニット１０６によって原稿画像が読み取られた後
排出され
次の原稿は、前の原稿と同様な動作を繰り返
【００１９】また、
第１トレイ１０９、第２トレイ１１０及び第３トレイ１１１に積載された転写紙は、
給紙され、
感光体１１６に当接する位置まで搬送される。読み取りユニット１０６にて読み取られた原稿画像は画像データとして、書き込みユニット１１７からのレーザ
によって感光体１１６に書き込まれ、現像ユニット１１８によってトナー像として可視化さ
【００２０】次に、
転写紙は、
感光体１１６の回転と等速で搬送されながら、感光体１１６上のトナー像を転写される。転写紙に転写されたトナー像は、定着ユニット１２０で画像として定着させられる。続いて、画像を定着
された転写紙は、
後処理装置であるフィニシャ１２２に排出され
【００２１】後処理装置のフィニシャ１２２は、装置本体の排紙ユニット１２１によって搬送された転写紙を、
排紙トレイ１２６方向やステイプル処理部
方向に導くことができ
【００２２】
ステイプル台１２８に積載された転写紙は、
紙端面が揃えられ、一部のコピー完了と共にステープラ１３０によって綴じられ
ステイプル完了排紙トレイ１３１に収納され
【００２３】一方、通常の排紙トレイ１２６は前後に移動可能な排紙トレイである。前後に移動可能な
排紙トレイ１２６は、原稿毎、或いは、後述する画像メモリ５０１によってソーティングされたコピー一部毎に、前後に移動し、簡易的に排出されてくるコピー紙を仕分ける
【００２４】転写紙の両面に画像を作像する場合は、第１トレイ１０９、第２トレイ１１０及び第３トレイ１１１から給紙され作像された転写紙を排紙トレイ１２６側に導かないで、経路切り換えの為の分岐爪１３３を上側にセットすることで、一旦、両面給紙ユニット１３４にストックする。
【００２５】その後、両面給紙ユニット１３４にストックされた転写紙は、両面給紙ユニット１３４から再び給紙され、感光体１１６に形成されたトナー画像を転写された後、経路切り換えの為の分岐爪１３３を下側にセットすることにより、排紙トレイ１２６に導かれる。この様に両面給紙ユニット１３４は、転写紙の両面に作像する場合に使用される。
【００２６】感光体１１６、搬送ベルト１１９、定着ユニット１２０、排紙ユニット１２１及び現像ユニット１１８は、後述するメインモータ４０３（図４参照）によって駆動され、第１給紙部１１２、第２給紙部１１３及び第３給紙部１１４は、メインモータ４０３の駆動を各々、後述する第１給紙クラッチ４０４、第２給紙クラッチ４０５及び第３給紙クラッチ４０６（図４参照）によって伝達することにより駆動される。縦搬送ユニット１１５は、メインモータ４０３の駆動を中間クラッチ４０７（図４参照）によって伝達することにより駆動される。
【００２７】次に、画像読み取りユニット１０６における画像の読み取り動作、及び、書き込みユニット１１７における画像の書き込み動作、即ち、画像を記録面上に潜像形成するまでの動作について説明する。ここで潜像とは、感光体面上に画像を光り情報に変換して照射することにより生じる電位分布である。
【００２８】先ず、読み取りユニット１０６は、原稿を載置するコンタクトガラス１０５と、光学走査系とで構成されている。光学走査系は、露光ランプ１３５、第１ミラー１３６、レンズ１３７、ＣＣＤイメージセンサ１３８、第２ミラー１３９及び第３ミラー１４０等で構成されている。露光ランプ１３５及び第１ミラー１３６は、第１キャリッジ（図示せず）上に固定され、第２ミラー１３９及び第３ミラー１４０は、第２キャリッジ（図示せず）上に固定されている。原稿画像を読み取るときには、光路長が変わらないように、第１キャリッジと第２キャリッジとが２対１の相対速度で機械的に走査される。この光学走査系は、スキャナ駆動モータ（図示せず）にて駆動される。
【００２９】また、原稿画像は、ＣＣＤイメージセンサ１３８によって読み取られ、電気信号に変換されて処理される。レンズ１３７及びＣＣＤイメージセンサ１３８を左右方向（図１において）に移動させることにより、画像倍率が変わる。即ち、指定された倍率に対応してレンズ１３７及びＣＣＤイメージセンサ１３８の左右方向に位置が設定される。
【００３０】書き込みユニット１１７は、レーザ出力ユニット１４１、結像レンズ１４２及びミラー１４３で構成され、レーザ出力ユニット１４１の内部には、レーザ光源であるレーザダイオード（図示せず）及びモータ（図示せず）によって高速で定速回転する回転多面鏡（以下、ポリゴンミラーと記し、図示せず）が備わっている。
【００３１】レーザ出力ユニット１４１により照射されるレーザ光は、定速回転するポリゴンミラーで偏光され、結像レンズ１４２を通り、ミラー１４３で折り返され、感光体１１６の面上に集光結像する。
【００３２】偏光されたレーザ光は感光体１１６が回転する方向と直交する方向（主走査方向）に露光走査され、後述する画像処理ユニット４０２のセレクタ５０２（図５参照）より出力された画像信号のライン単位の記録を行う。感光体１１６の回転速度と記録密度に対応した所定の周期で主走査を繰り返すことによって、感光体１１６の面上に画像（静電潜像）が形成される。
【００３３】上述のように、書き込みユニット１１７から出力されるレーザ光が、感光体１１６に照射される。感光体１１６の一端近傍のレーザビームを照射する位置に、主走査同期信号を発生するビームセンサ（図示せず）が配置されている。この主走査同期信号をもとに主走査方向の画像記録開始タイミングの制御、及び、後述する画像信号の入出力を行うための制御信号の生成を行う。
【００３４】次に、図２および図３を参照して、
ユーザに対する表示、並びにユーザからの機能設定入力制御を行う操作部２０１
操作部２０１には、スタートキーであるプリントキー２０２、クリア／ストップキー２０３、テンキー２０４、液晶ディスプレイ２０５、初期設定キー２０７およびモードクリアキー２０８、試しコピーキー２０９があ
液晶ディスプレイ２０５は、その表面にタッチパネル２０６が張り付けられており、部数、装置の状態を示す各種メッセージの表示や、更に各種情報の入力等に使用され
【００３５】また図３は、操作部２０１の液晶ディスプレイ２０５の表示画面例を示した説明図である。ユーザが液晶ディスプレイ２０５に表示された部分のうち、タッチパネル２０６を押下して何れかを選択することにより、画像形成装置は、選択された機能を実行する。また、タッチパネル２０６の押下によって選択されたキーは色反転表示され、ユーザに機能が選択されたことを示すようになっている。また、各種機能において、例えば、変倍の変倍率等のように、その詳細な設定を行わなければならない場合、必要なキーが押下された後、そのキーに対応した詳細機能の設定画面が表示される。また、この実施の形態１では、液晶ディスプレイ２０５としてドット表示器を使用しているため、そのときの最適な表示をグラフィカルに行うことができる。尚、この実施の形態１では、液晶ディスプレイ２０５をドット表示器を使用するが特にこれに限定されるものではない。
【００３６】次に、図４を参照して、この実施の形態１の画像形成装置の制御系について詳細に説明する。図４は画像形成装置の制御系を示し、図示の如く、画像形成装置全体を制御するメインコントローラ４０１を中心に各部が配置されている。メインコントローラ４０１には、ＩＰＵ（画像処理ユニット）４０２、ＡＤＦ１０１、操作部２０１等の分散制御を行う各部が接続されている。尚、ＩＰＵ４０２は、読み取りユニット１０６等を含む各部の制御、原稿画像を後述する画像メモリ５０１に書き込む制御、及び、画像メモリ５０１からの原稿画像の形成を行う制御等を行うものである。また、同図において、４０８はＡＤＦ１０１の搬送モータを示す。
【００３７】分散制御を行う各部とメインコントローラ４０１とは、必要に応じて画像形成装置の状態、動作の指令等のやり取りが行われている。また、図示の如く、メインコントローラ４０１には、紙の搬送等に必要なメインモータ４０３、第１給紙クラッチ４０４、第２給紙クラッチ４０５、第３給紙クラッチ４０６及び中間クラッチ４０７が接続されており、メインコントローラ４０１が上記各クラッチの駆動制御も行うものである。
【００３８】次に、図５を参照して、ＩＰＵ（画像処理ユニット）４０２の構成について詳細に説明する。読み取りユニット１０６のＣＣＤイメージセンサ１３８にて光電変換して入力した画像データ（アナログ信号）は、Ａ／Ｄコンバータ５０３によってデジタル信号に変換され、シェーディング補正回路５０４でシェーディング補正が施された後、ＭＴＦ・γ補正回路５０５でＭＴＦ補正・γ補正処理等が施される。
【００３９】セレクタ５０２は、ＭＴＦ・γ補正回路５０５から第１印字合成部５０６を介して入力した画像データを、第２印字合成部５０７を介して変倍回路５０８へ、或いは、画像メモリコントローラ５１０へ、切り替えて供給するものであり、変倍回路５０８を経由した画像データは変倍率に合わせて拡大縮小され、書き込みユニット１１７に送られる。
【００４０】一方、画像メモリコントローラ５１０とセレクタ５０２の間は、双方向に画像データを入出力可能な構成となっている。図５には特に明示していないが、ＩＰＵ４０２には、読み取りユニット１０６から入力される画像データ以外にもＩ／Ｏポート５１４を介して外部から供給される画像データ、例えば、パーソナルコンピュータ等のデータ処理装置から入力したデータも処理できるよう、複数のデータの入出力の選択を行う機能を有しているものとする。
【００４１】また、ＩＰＵ４０２は、画像メモリコントローラ５１０等への各種情報（指令）の設定や、読み取りユニット１０６及び書き込みユニット１１７の制御を行うためのＣＰＵ５１１と、ＣＰＵ５１１のプログラムやデータを格納したＲＯＭ５１２及びＲＡＭ５１３とを備えている。更にＣＰＵ５１１は、画像メモリコントローラ５１０を介して、画像メモリ５０１のデータの書き込み或いは読み出しが行える構成である。
【００４２】次に、図６を参照して、セレクタ５０２における１ページ分の画像データについて詳細に説明する。図６は、１ページ分の画像データのタイミングチャートである。フレームゲート信号（以下、／ＦＧＡＴＥと略記す）は、１ページの画像データの副走査方向の有効期間を表している。主走査同期信号（以下、／ＬＳＹＮＣと略記す）は１ライン毎であり、／ＬＳＹＮＣが立ち上がった後の所定クロックで画像データが有効となる。
【００４３】主走査方向の画像データが有効であることを示す信号が、ラインゲート信号（以下、／ＬＧＡＴＥと略記す）である。これら／ＦＧＡＴＥ、／ＬＳＹＮＣ及び／ＬＧＡＴＥは、画素同期信号（以下、ＶＣＬＫと略記す）に同期しており、ＶＣＬＫの１周期に対し１画素のデータが送られてくる。
【００４４】尚、詳細な説明は省略するが、ＩＰＵ４０２は、画像入力、画像出力のそれぞれに対して別個の／ＦＧＡＴＥ、／ＬＳＹＮＣ、／ＬＧＡＴＥ及びＶＣＬＫの発生機構を有しており、読み取った原稿画像（画像データ）の直接出力を行う場合等の位相調整等を行うことにより、様々な画像入出力の組み合わせが実現可能な構成である。
【００４５】次に、図７及び図５を参照して、画像メモリコントローラ５１０及び画像メモリ５０１について詳細に説明する。図７は、画像メモリコントローラ５１０及び画像メモリ５０１の詳細な構成を示した図である。画像メモリコントローラ５１０は、入力データセレクタ７０１、画像合成部７０２、１次圧縮／伸長部７０３、出力データセレクタ７０４、２次圧縮／伸長部７０５を有している。上記各部への制御データの設定は、ＣＰＵ５１１によって行われる。尚、図５に示したアドレス、データは画像データのアドレス及びデータを示しており、ＣＰＵ５１１に接続される制御データのデータ、アドレスは省略してある。
【００４６】画像メモリ５０１は、１次記憶部７０６及び２次記憶部７０７から構成される。１次記憶部７０６は、入力した画像データの転送速度に略同期して画像メモリ５０１への書き込み、または、画像出力時の画像メモリ５０１からの読み出しが高速に行えるように、例えば、ＤＲＡＭ等の高速アクセスが可能なものを使用する。また、１次記憶部７０６は、処理を行う画像データの大きさにより複数のエリアに分割して画像データの入出力を同時に実行可能な構成（図示を省略するが、画像メモリコントローラ５１０とのインターフェース部）を採っている。
【００４７】２次記憶部７０７は、入力された画像の合成、ソーティングを行うためのデータを保存しておく大容量のメモリである。１次記憶部７０６及び２次記憶部７０７共に高速アクセス可能な素子を使用すれば、１次記憶部７０６、２次記憶部７０７の区別なくデータの処理が行え、且つ、画像メモリコントローラ５１０の制御も比較的簡単になるが、ＤＲＡＭ等の素子は高価であるため、１次記憶部７０６のアクセス速度を高速として、入出力データの処理を行う構成にしている。尚、１次記憶部７０６と同様に２次記憶部７０７にもＤＲＡＭ等の高速素子を使用しても良いことは勿論である。
【００４８】上述のように画像メモリ５０１を１次記憶部７０６及び２次記憶部７０７で構成することにより、大量の画像データの入出力、保存、加工等の処理が可能な画像形成装置を安価、且つ、比較的簡単な構成で実現することが可能になる。尚、集約コピー機能のおける集約画像は、１次記憶部７０６上に複数の原稿画像を１枚の転写紙へ書き込む形式に並べて保存されている。
【００４９】次に、画像メモリコントローラ５１０の概略動作について説明する。先ず、画像メモリ５０１へ画像データを保存する場合の画像入力について説明する。入力データセレクタ７０１は複数のデータの内から、１次記憶部７０６への書き込みを行う画像データの選択を行う。
【００５０】入力データセレクタ７０１によって選択された画像データは、画像合成部７０２に供給され、画像合成部７０２で既に画像メモリ５０１に保存されているデータと合成される。画像合成部７０２によって処理された画像データは、１次圧縮／伸長部７０３によりデータ圧縮を施され、圧縮後のデータが１次記憶部７０６に書き込まれる。１次記憶部７０６に書き込まれたデータは、必要に応じて２次圧縮／伸長部７０５で更に圧縮を行った後に、２次記憶部７０７に保存される。
【００５１】次に、画像メモリ５０１からの画像データの読み出しについて説明する。画像出力時は、１次記憶部７０６に記憶されている画像データの読み出しを行う。出力対象となる画像が１次記憶部７０６に格納されている場合にも、１次圧縮／伸長部７０３で１次記憶部７０６の画像データの伸長を行い、伸長後のデータ、或いは、伸長後のデータと入力データとの画像合成を行った後のデータを出力データセレクタ７０４で選択し、出力する。
【００５２】画像合成部７０２は、１次記憶部７０６のデータと、入力データとの合成（画像データの位相調整機能を有する）、合成後のデータの出力先の選択（画像出力、１次記憶部７０６へのライトバック、両方の出力先への同時出力も可能）等の処理を行う。
【００５３】出力対象となる画像が１次記憶部７０６に格納されていない場合には、２次記憶部７０７に格納されている出力対象画像データを２次圧縮／伸長部７０５で伸長を行い、伸長後のデータを１次記憶部７０６に書き込んでから、以下、上述の画像出力動作を行う。
【００５４】以上の構成において、この実施の形態１の画像形成装置の動作を詳細に説明する。この実施の形態１の画像形成装置では、試しコピーモードにおいて、試しに１部目を出力して一時停止している状態から画像形成モードが変更された場合、それが読み取りユニット１０６の読み取り条件に関するものであれば再読み取りを行い、読み取り条件に関するものでない場合は原稿の再読み取りを行わずメモリから出力するものである。
【００５５】ここで、前記読み取り条件に関する画像形成モードとしては、例えばコピー濃度や倍率が挙げられる。再読み取りが必要なのは、コピー濃度は露光光量を変える必要があり、倍率は副走査に関して光学走査系の移動速度を変える必要があるためである。
【００５６】また、前記読み取り条件に関するものでない画像形成モードとしては、例えばステイプル、ページ印字、スタンプ印字、ソート、両面印字が挙げられる。これらの画像形成モードを変更しても、原稿の再読み取りは不要である。理由は次の通りである。
【００５７】ステイプル機能（ステープラ１３０など）は、図５に示す書き込みユニット１１７の後段に存在するため、画像の読み取り条件には依存しない。このため、既に画像メモリ５０１に記憶している画像データを使用できる。
【００５８】ページ印字機能は、図５に示すように、画像メモリ５０１の前段で行うものと（第１印字合成部５０６）、画像メモリ５０１の後段で行うものと（第２印字合成部５０７）が存在する。第１印字合成部５０６は、読み取った原稿毎に印字を付加するものであり、第２印字合成部５０７は転写紙毎に印字を付加するものと特徴付けられる。
【００５９】この実施の形態１においては、第２印字合成部５０７において画像形成モードを変更した場合に、原稿の再読み取りが不要となる。第２印字合成部５０７が画像メモリ５０１よりも後段にあるため、読み取った画像データに直接ページ印字画像が盛り込まれるのでなく、画像出力の際にページ印字が付加されるためである。
【００６０】なお、図８に示すように、第１印字合成部５０６によるページ印字は、集約時の各原稿にページ印字を付けることができるので、”N into 1 Book ”時のページ印字等に適している。一方、第２印字合成部５０７によるページ印字は、転写紙毎にページ印字ができるので、特にイメージリピート機能を使用したとき等に適している。
【００６１】スタンプ印字機能は、図５に示すように、画像メモリ５０１の前段で行うものと（第１印字合成部５０６）、画像メモリ５０１の後段で行うものと（第２印字合成部５０７）が存在する。第１印字合成部５０６は、読み取った原稿毎に印字を付加するもの、第２印字合成部５０７は転写紙毎に印字を付加するものと特徴付けられる。
【００６２】この実施の形態１においては、第２印字合成部５０７において画像形成モードを変更した場合に、原稿の再読み取りが不要となる。第２印字合成部５０７が画像メモリ５０１よりも後段にあるため、読み取った画像データに直接スタンプ印字画像が盛り込まれるのでなく、画像出力の際にスタンプ印字が付加されるためである。
【００６３】なお、図９に示すように、第１印字合成部５０６によるスタンプ印字は、集約時の各原稿単位でスタンプ印字を付けることができるので、”N into 1 Book ”時のスタンプ印字等に適している。一方、第２印字合成部５０７によるスタンプ印字は、転写紙毎にスタンプ印字ができるので、Book集約以外に使用される。
【００６４】ソート機能は、この実施の形態１では、画像メモリ５０１からの各ページ読み出し順序のみ又は読み出し順序と読み出し方向とを変えるものである。このため、画像の読み取り条件の変更は不要であるから、既に画像メモリ５０１に記憶している画像データを使用できる。
【００６５】両面機能は、転写紙の給紙制御のみを変更すればよいため、画像の読み取り条件とは関係なく変更は不要である。このため、既に画像メモリ５０１に記憶している画像データを使用できる。
【００６６】図１０および図１１は、この実施の形態１の
動作
、試しコピーキー２０９が押されたときの処理
【００６７】先ずステップＳ１００１では、原稿枚数カウントOrgCntに”１”が代入される。次にステップＳ１００２では、
ＡＤＦによる原稿搬送、読み取りユニット１０６による原稿の読み取り、及び画像データの画像メモリ５０１への保持が行わ
【００６８】原稿が終了でなければ、ステップＳ１００４に進んで、原稿枚数カウントOrgCntを”１”だけ加算し、次の原稿読み取り動作を行う。また、
原稿が終了であれば
１部目の出力処理を行う
１部目が出力し終わった時点で操作部２０１からのモード設定変更が許可
再読フラグを”０”にリセット
【００６９】ステップＳ１００８では操作部２０１からキー入力がされたか否かの判断を行う。このとき、操作部２０１からのキー入力がなければ、ステップＳ１００８に戻って、次の
キー入力待ちとなる
操作部２０１からのキー入力が行われれば、
試しコピーキー２０９が再び押下されたか否かの判断を行
【００７０】先ずステップ１００９において
試しコピーキー２０９が押下されていれば
再読フラグがセットされていなければ、原稿読み取り処理は行わず、１部目出力処理へ戻る
【００７１】一方、ステップＳ１００９において
試しコピーキー２０９が押下されていなければ
スタートキー２０２が押下されているか否かの判断を行う
【００７２】先ずステップＳ１０１１において、
スタートキー２０２が押下されていれば
再読フラグがセットされていなければ、読み取りは行わず、そのまま
２部目以降の処理を行う
【００７３】一方、ステップＳ１０１１において、
スタートキー２０２が押下されていなければ
クリア／ストップキー２０３が押下されているか否かの判断を行
【００７４】ステップＳ１０１５において
クリア／ストップキー２０３が押下されていれば、
モードクリア処理を行い、フローチャートの処理を終了する
クリア／ストップキー２０３が押下されていなければ
ステイプルキーが押下されているか否かの判断を行
【００７５】ステップＳ１０１７においてステイプルキーが
押下されていれば、
設定処理を
キー入力待ち
【００７６】ステップＳ１０１９において
ページ印字キー
スタンプ印字キー
【００７７】ステップＳ１０２１においてスタンプ印字キーが押下されていれば、ステップＳ１０２２に進んでスタンプ印字設定処理を行う。その後は、ステップＳ１００８に戻ってキー入力待ちとなる。スタンプ印字キーが押下されていなければステップＳ１０２３に進み、
ソートキー
【００７８】ステップＳ１０２３においてソートキーが押下されていればステップＳ１０２４に進んでソート設定処理を行う。その後は、ステップＳ１００８に戻ってキー入力待ちとなる。ソートキーが押下されていなければステップＳ１０２５に進み、
両面キー
【００７９】ステップＳ１０２５において両面キーが押下されていれば、ステップＳ１０２６に進んで両面設定処理を行う。その後は、ステップＳ１００８に戻ってキー入力待ちとなる。
両面キーが押下されていなければ
その他のモードキーが押下されているか否かの判断を行う
【００８０】ステップＳ１０２６において
その他のモードキーが押下されていれば、
そのモード設定処理を行った後、
再読フラグを”１”にセット
【００８１】図１２に示すフローチャートは、図１１のフローチャートにおけるステイプル処理（ステップＳ１０１８）を説明するためのものであり、ここではステイプルの形式やページ数の設定が行われる。このフローチャート内で用いられている変数は次の通りである。
OrgCnt: 原稿枚数カウント
StplPage: 転写紙の枚数（最終転写紙のカウント用）
【００８２】先ずステップＳ１２０１では、ステイプル機能の設定が行われているかどうかの判断を行う。ステイプル機能の設定がなされていれば、ステップＳ１２０２で、ステイプル機能の設定を解除し、当該フローチャートの処理を終了する。またステイプル機能の設定がされていなければ、ステップＳ１２０３で、ステイプル設定処理を行い、ステイプルの個数、位置の変更が行われる。
【００８３】次にステップＳ１２０４では、集約モードが設定されているかの判断を行う。集約モードが設定されていれば、ステップＳ１２０５に進んで、原稿枚数カウントOrgCntを転写紙の片面に割り当てられる原稿数Ｎで割り、転写紙枚数StplPageに代入する。また、集約モードが設定されていなければ、転写紙枚数StplPageに原稿枚数カウントOrgCntをそのまま代入する。
【００８４】次にステップＳ１２０７では、両面モードが設定されているかの判断を行う。両面モードが設定されていなければ、当該フローチャートの処理を終了する。両面モードが設定されていれば、ステップＳ１２０８に進んで、転写紙枚数StplPageを２で割った値に置き換えて、当該フローチャートの処理を終了する。尚、ステイプルをうつ場合は、排紙カウントと転写紙枚数StplPageを比較してステイプルのタイミングを決定することとなる。
【００８５】図１３に示すフローチャートは、図１１のフローチャートにおけるページ印字設定処理（ステップＳ１０２０）を説明するものであり、ここでは、ページ印字の開始（ページ印字を付加する際の最小のページ数）と終了のページ（１／５、２／５、…のようなフォーマットの際の分母に当たるページ数）について設定及び変更が行われる。このフローチャート内で用いられている変数は次の通りである。
OrgCnt：原稿枚数カウント
EndPage ：終了ページ数
StartPage ：開始ページ数
【００８６】先ずステップＳ１３０１では、ページ印字機能の設定が行われているかどうかの判断を行う。ページ印字機能の設定がなされていれば、ステップＳ１３０２で、ページ印字機能の設定を解除し、当該フローチャートの処理を終了する。
【００８７】またページ印字機能の設定がされていなければ、ステップＳ１３０３で、終了ページ数EndPage に原稿枚数カウントOrgCntを代入し、またステップＳ１３０４では、開始ページ数StartPage に”１”を代入し、デフォルト値の設定をそれぞれ行う。
【００８８】次にステップＳ１３０５では、開始ページの変更処理を行うが、ページ数の変更が行われた場合、その値を開始ページ数StartPage に代入する。ステップＳ１３０６では、開始ページの変更処理によりページ数の変更があったか否かを、開始ページ数StartPage が”１”か否かで判断する。開始ページ数StartPage の変更があった場合は、ステップＳ１３０７で、終了ページ数EndPage を開始ページ数StartPage と同じ数だけシフトさせる。
【００８９】次にステップＳ１３０８では、ページ印字のフォーマットについて、分母が付く（１／５、２／５、．．．）形式が選択されているかの判断を行う。他のフォーマットが選択されていれば、当該フローチャートの処理を終了する。また、フォーマットが分母がつく形式のものであれば、ステップＳ１３０９に進んで、終了ページの変更処理が行われ、ページ数の変更が行われた場合には、その値を終了ページ数EndPage に代入し、当該フローチャートを終了する。
【００９０】図１４に示すフローチャートは、図１１のフローチャートにおけるスタンプ印字設定処理（ステップＳ１０２２）を説明するものであり、ここでは、スタンプの形式やページ数の設定が行われる。このフローチャート内で用いられている変数は次の通りである。
OrgCnt：原稿枚数カウント
TotalPage ：原稿枚数
StmpAll ：全ページスタンプフラグ
StmpPage：任意ページスタンプの際の最終転写紙からのページ数
InputPage ：任意ページスタンプの際に、ユーザーが指定する先頭からのページ数
【００９１】先ずステップＳ１４０１では、スタンプ印字機能の設定が行われているかどうかの判断を行う。スタンプ印字機能の設定がなされていれば、ステップＳ１４０２で、スタンプ印字機能の設定を解除し、当該フローチャートの処理を終了する。
【００９２】またスタンプ印字機能の設定がされていなければ、ステップＳ１４０３で、原稿枚数TotalPage に原稿枚数カウントOrgPage を代入する。尚、集約（N into 1）等で使用する際は、原稿枚数TotalPage はOrgCnt／Ｎに相当するが、ここではその処理及び説明を省略する。
【００９３】次にステップＳ１４０４では、スタンプが全ページモードに設定されたか否かの判断を行う。スタンプが全ページモードであれば、ステップＳ１４０１に進んで、全ページスタンプフラグStmpAll を”１”にする。また、スタンプが全ページモードでなければ、全ページスタンプフラグStmpAll を”０”にする。
【００９４】次にステップＳ１４０７では、スタンプが任意ページモードに設定されたか否かの判断を行う。スタンプが任意ページモードであれば、ステップＳ１４０８に進んで、ページ入力処理により任意のページ数の入力を許可し、入力された値を指定ページ数InputPage に代入し、ステップＳ１４０９で、原稿枚数TotalPage及び指定ページ数InputPage に基づいて最終転写紙からのページ数StmpPageを算出し、当該フローチャートの処理を終了する。
【００９５】また、スタンプが任意ページモードでなければ、ステップＳ１４１０に進んで、最終転写紙からのページ数StmpPageに”０”を代入し、当該フローチャートの処理を終了する。尚、スタンプ印字を付加する際には、以上のようにして求められた全ページスタンプフラグStmpAll 及び最終転写紙からのページ数StmpPageに基づいて行なわれる。
【００９６】以上説明したように、この実施の形態１の
画像形成装置では、試しに１部目を出力した後に画像形成モードを変更した場合であって、変更した画像形成モードが、読み取り条件に関するものでないときには、画像メモリ５０１に既に記憶してある画像データを読みだして出力するようにした。そして、変更した画像形成モードが、読み取り条件に関するものであるときにのみ、再読み取りを行うようにした。このため、原稿を再セットする手間が軽減され、原稿の劣化を最小限に止めつつ、試しコピーを行うことができる
　
　イ　「【０１４３】次に、フローチャートを参照してこの実施の形態４の
画像形成装置
動作
コピー条件操作許可の動作
【０１４４】先ずステップＳ２００１では、
ＡＤＦによる原稿搬送、スキャナーによる原稿の読みとり、及び画像データの画像メモリ５０１への保持を行
ＡＤＦの残原稿センサにより、原稿終了か否かの判断を行い、原稿が終了でなければ、
次の原稿読みとり処理を行
【０１４５】また、ステップＳ２００２において、
原稿が終了であれば
指定されたコピー条件を保持
１部目の出力処理を行
【０１４６】次にステップＳ２００５では、
１部目が出力し終わった時点で、操作部２０１からのコピー条件操作について許可がなされ
操作部２０１からキー入力がされたか否かの判断を行い、操作部２０１からのキー入力がなければ
次のキー入力待ちになる
【０１４７】ステップＳ２００６において、
操作部２０１からのキー入力が行われれば
、スタートキー２０２が押下されたか否かの判断を行
キー入力がスタートキー２０２の押下であれば、
現在の指定されているコピー条件が、記憶されているコピー条件と同じかどうかの判断を行
【０１４８】
現在のコピー条件が記憶されているコピー条件と同じであれば、
出力部数を「セット部数−１」
とす
また、現在のコピー条件が記憶されているコピー条件と異なれば、
出力部数を「セット部数」とす
現在のコピー条件で、出力部数の値として指示される部数を出力し、当該フローチャートを終了する
【０１４９】ステップＳ２００７において、
キー入力がスタートキー２０２の押下でなければ、
クリア／ストップキー２０３の押下か否かの判断を行
キー入力がクリア／ストップキー２０３の押下であれば、
モードクリア処理を行い、当該フローチャートを終了する
【０１５０】また、
キー入力がクリア／ストップキー２０３の押下でなければ、
その他の有効なキーの押下か否かの判断を行う。無効なキーの押下であれば、
次のキー入力待ちとなる。
キー入力が有効なキーの押下であれば、
コピー条件設定処理を行い、
次のキー入力待ちと
【０１５１】以上、この実施の形態４の画像形成装置では、
電子ソートで１部目を出力した後に、メモリより後段に位置する機能の操作を許可し、最初に指定されたコピー条件を記憶しているので、許可した機能の変更が行われた場合には「セット部数」分を、機能の変更がなければ「セット部数−１」分を出力するので、必要な部数を確保することができる
　
　ウ　図１０及び図１１を参照すれば、上記アから、引用例２には、次の発明が記載されているものと認められる。
　
「ＡＤＦの原稿台上に置かれた原稿束を、操作部上のプリントキーが押下されると一番下の原稿からコンタクトガラス上の所定の原稿読取位置に給送し、読み取りユニットによって原稿画像を読み取った後排出し、次の原稿も前の原稿と同様な動作を繰り返し、第１ないし第３トレイに積載された転写紙を給紙し、感光体に当接する位置まで搬送し、読み取りユニットにて読み取られた原稿画像を画像データとして、書き込みユニットからのレーザによって感光体に書き込み、現像ユニットによってトナー像として可視化し、転写紙を感光体の回転と等速で搬送しながら、感光体上のトナー像を転写し、転写紙に転写したトナー像を定着ユニットで画像として定着し、トナー像を定着した転写紙を、後処理装置であるフィニシャに排出し、第１の排紙トレイ方向やステイプル処理部方向に導き、ステイプル台に積載された転写紙の紙端面を揃えて一部のコピー完了と共にステープラによって綴じ、ステイプル完了排紙トレイに収納させることができ、第１の排紙トレイは、原稿毎或いは画像メモリによってソーティングされたコピー一部毎に、前後に移動して簡易的に排出されてくるコピー紙を仕分けることができる画像形成装置であって、
　前記操作部は、ユーザに対する表示、並びにユーザからの機能設定入力制御を行うものであり、スタートキーであるプリントキーと、クリア／ストップキーと、テンキーと、初期設定キーと、モードクリアキーと、試しコピーキーと、表面にタッチパネルが張り付けられており、部数、装置の状態を示す各種メッセージの表示や、各種情報の入力等に使用される液晶ディスプレイとが備わっており、
　前記試しコピーキーが押されたとき、ＡＤＦによる原稿搬送、読み取りユニットによる原稿の読み取り、及び画像データの画像メモリへの保持を行い、原稿が終了であれば１部目の出力処理を行い、１部目が出力し終わった時点で前記操作部からのモード設定変更を許可し、再読フラグを”０”にリセットし、前記操作部からキー入力が行われるまでキー入力待ちとなり、前記操作部からのキー入力が行われれば、前記試しコピーキーが再び押下されたか否かの第１の判断を行い、該第１の判断で前記試しコピーキーが押下されていれば、再読フラグがセットされていないことを確認して、原稿読み取り処理は行わず１部目出力処理へ戻り、前記第１の判断で前記試しコピーキーが押下されていなければ、前記スタートキーが押下されているか否かの第２の判断を行い、該第２の判断で前記スタートキーが押下されていなければ、前記クリア／ストップキーが押下されているか否かの第３の判断を行い、該第３の判断で前記クリア／ストップキーが押下されていれば、モードクリア処理を行い、試しコピーキーが押されたときの処理を終了し、前記第３の判断で前記クリア／ストップキーが押下されていなければ、ステイプルキー、ページ印字キー、ソートキー及び両面キーの各々についてキーが押下されているか否かの第４ないし第８の判断を行って、第４ないし第８の各判断でキーが押下されていれば対応する設定処理を行いその後前記キー入力待ちに戻り、第４ないし第８の各判断でいずれもキーが押下されていなければ、その他のモードキーが押下されているか否かの第９の判断を行い、該第９の判断でその他のモードキーが押下されていれば、そのモード設定処理を行った後、再読フラグを”１”にセットして、前記キー入力待ちに戻り、前記第９の判断でその他のモードキーが押下されていなければ、直ちに前記キー入力待ちに戻り、前記第２の判断で前記スタートキーが押下されていれば、再読フラグがセットされていないことを確認して、読み取りは行わずそのまま２部目以降の処理を行い、
　試しに１部目を出力した後に画像形成モードを変更した場合であって、変更した画像形成モードが、読み取り条件に関するものでないときには、画像メモリに既に記憶してある画像データを読みだして出力するようにし、変更した画像形成モードが、読み取り条件に関するものであるときにのみ、再読み取りを行うようにしたため、原稿を再セットする手間が軽減され、原稿の劣化を最小限に止めつつ、試しコピーを行うことができる画像形成装置。」（以下「引用発明２」という。）
　
　エ　図２０のコピー条件操作許可の動作を説明するフローチャーを参照すれば、上記イから、引用例２には、次の発明が記載されているものと認められる。
　
「ＡＤＦによる原稿搬送、スキャナーによる原稿の読みとり、及び画像データの画像メモリへの保持を行い、ＡＤＦの残原稿センサにより、原稿終了か否かの判断を行い、原稿が終了でなければ次の原稿読みとり処理を行い、原稿が終了であれば指定されたコピー条件を保持して１部目の出力処理を行い、１部目が出力し終わった時点で、操作部からのコピー条件操作について許可し、前記操作部からのキー入力が行われるまでキー入力待ちになる画像形成装置であって、
　前記キー入力待ちにおいて、前記操作部からのキー入力が行われれば、スタートキーが押下されたか否かの第１の判断を行い、該第１の判断でキー入力がスタートキーの押下でなければ、クリア／ストップキーの押下か否かの第２の判断を行い、該第２の判断でキー入力がクリア／ストップキーの押下であれば、モードクリア処理を行い、当該コピー条件操作許可の動作を終了し、前記第２の判断でキー入力がクリア／ストップキーの押下でなければ、キー入力がその他の有効なキーの押下か否かの第３の判断を行い、該第３の判断でキー入力が無効なキーの押下であれば、前記キー入力待ちに戻り、前記第３の判断でキー入力が有効なキーの押下であれば、コピー条件設定処理を行ってから、前記キー入力待ちに戻り、前記第１の判断でキー入力がスタートキーの押下であれば、現在の指定されているコピー条件が、記憶されているコピー条件と同じかどうかの第４の判断を行い、該第４の判断で現在のコピー条件が記憶されているコピー条件と同じであれば出力部数を“セット部数−１”とし、前記第４の判断で現在のコピー条件が記憶されているコピー条件と異なれば出力部数を“セット部数”とし、その後前記第４の判断結果がいずれにしても、現在のコピー条件で、出力部数の値として指示される部数を出力し、当該コピー条件操作許可の動作を終了することにより、電子ソートで１部目を出力した後に、メモリより後段に位置する機能の操作を許可し、最初に指定されたコピー条件を記憶しているので、許可した機能の変更が行われた場合には“セット部数”分を、機能の変更がなければ“セット部数−１”分を出力するので、必要な部数を確保することができるようにした画像形成装置。」（以下「引用発明３」という。）
　
（３）原査定の拒絶の理由で引用された「本願の出願前に頒布された刊行物である特開平１１−１７４９０３号公報（以下「引用例３」という。）」には、次の事項が図とともに記載されている。
　ア　「【００１７】
【発明の実施の形態】本発明の第１実施例の磁気
印写装置
【００１８】図３は、第１実施例
における試し刷りを行う時の処理動作
【００１９】ステップ１０３では、ホストコンピュータ２０からの画像データの送信が行われ、主制御部１２は通信インターフェース１１を介してこれを受信して画像データ制御部１４に送る。画像データ制御部１４は小容量のバッファを有し、磁気ドラム１の回転に合わせて磁気ヘッド２に画像データに対応する信号を与えて磁気潜像を記録する。これにより、磁気潜像記録工程が終了する。
【００２０】ステップ１０４では、複写工程が１回行われる。これが試し刷りである。ステップ１０５では、
オペレータが試し刷りされた印刷物を見て、そのまま本印刷を行ってよいか判定
画像データの変更を伴う修正が必要であるか
【００２１】ステップ１０６では、
使用する用紙を変更する必要があるかが判定され
それ以上試し刷りする必要がなければ、ステップ１０７で使用する用紙を変更した後、ステップ１０８に進んで
【００２２】
ステップ１０８では、当初設定した印刷枚数を変更するかオペレータに確認する
印刷枚数に変更がある場合には、ステップ１０９で印刷枚数を再設定した後ステップ１１０に進み、印刷枚数に変更がない場合にはそのままステップ１１０に進む。ステップ１１０では、すでに試し刷りの分が１枚あるので、印刷枚数から１枚少ない枚数を設定し、ステップ１１１で本印刷を行う
試し刷りの分を印刷枚数には入れず、ステップ１１１の本印刷では設定された印刷枚数を印刷するようにしてもよい。
【００２３】上記の例では、試し刷り後のやり直しに際し、印刷条件や用紙条件の再設定をオフラインで行うことを想定しているが、オペレータが判断して、再度ホストコンピュータにより再設定して印刷をやり直すこともできる。以上のように、第１実施例では、磁気印写装置にはページメモリを設けていないのにもかかわらず、試し刷りが可能になる。
【００２４】第１実施例では、用紙カセットは１個で、磁気印写装置にセットできる用紙は１種類であった。そのため、用紙のサイズや、厚さなどを変更する場合には、オペレータが用紙カセットの用紙を変更する必要があった。第２実施例では、複数種類の用紙がセットできる磁気印写装置を使用する。また、第２実施例では、ページメモリが設けられている磁気印写装置を使用する。」
　
　イ　上記アから、引用例３には、次の発明が記載されているものと認められる。
　
「試し刷りを行う時に、オペレータが試し刷りされた印刷物を見て、そのまま本印刷を行ってよいか、画像データの変更を伴う修正が必要であるか、使用する用紙を変更する必要があるかが判定され、それ以上試し刷りする必要がなければ、当初設定した印刷枚数を変更するかオペレータに確認し、印刷枚数に変更がある場合には印刷枚数を再設定した後、印刷枚数に変更がない場合にはそのまま、次のステップに進み、該ステップでは、すでに試し刷りの分が１枚あるので、印刷枚数から１枚少ない枚数を設定して、その後本印刷を行う処理動作を実行する印写装置。」（以下「引用発明４」という。）
　
　ウ　上記アの【００２２】の「なお、試し刷りの分を印刷枚数には入れず、ステップ１１１の本印刷では設定された印刷枚数を印刷するようにしてもよい。」との記載からみて、引用例３には、次の発明も記載されているものと認められる。
　
「試し刷りを行う時に、オペレータが試し刷りされた印刷物を見て、そのまま本印刷を行ってよいか、画像データの変更を伴う修正が必要であるか、使用する用紙を変更する必要があるかが判定され、それ以上試し刷りする必要がなければ、当初設定した印刷枚数を変更するかオペレータに確認し、印刷枚数に変更がある場合には印刷枚数を再設定した後、印刷枚数に変更がない場合にはそのまま、設定された印刷枚数より１枚少ない枚数にすることなく、本印刷を行う処理動作を実行する印写装置。」（以下「引用発明５」という。）
　
４　引用発明１との対比・判断
　本願補正発明と引用発明１とを対比する。
（１）引用発明１の「『１部目のコピー処理』の前に実行された『置数設定のサブルーチン』」、「『１部目のコピー処理』の前に実行された『コピーモード、フィニッシュモードを設定するモード設定のサブルーチン』」、「『１部目のコピー処理』のときの『コピー処理のサブルーチン』」、「『１部目のコピー処理』のため『１』であった『コピーフラグ』が『０』になってから実行された『モード設定のサブルーチン』及び『置数設定のサブルーチン』」、「『１部目のコピー処理』のため『１』であった『コピーフラグ』が『０』になってから『第４の判定』で『置数が入力され』たとの判定がなされないまま『第８の判定』で『コピースタートキーがオンエッジ』であると判定されて『第９の判定』で『コピー処理モードが変更されたと判定』された場合」、「『第４の判定』で『置数が入力』されていないので、『残りコピー部数を示すカウンタＰ及び入力された置数を示すカウンタＱのそれぞれ』の置数は更新せず、『第８の判定』で『コピースタートキーがオンエッジ』であると判定され、『１部目終了フラグを“０”にリセット』し、『第９の判定』で『コピー処理モードが変更されたと判定』され、『前記カウンタＰを減算することなく、処理変更フラグを“１”にセット』し、『ステップ６』で『１サイクル終了フラグ』を『“０”にリセット』し、『スタート信号』が入力されているので『ステップＳ７』で『コピーフラグを“１”にセット』し、『ステップ８』の『第１２の判定』で『コピーフラグが“１”にセットされている』と判断され『コピー処理を実行』して『自動的に元の部数のままで画像形成動作』が再開し、以降『置数設定のサブルーチン』が『コール』されたときには、『第３の判定』で否とされ、『第５の判定』で『１サイクル終了フラグが“０”にリセット』されていると判定された場合は『１部目終了フラグをチェック』して、『第５の判定』で『１サイクル終了フラグが“１”にセット』されていると判定された場合は『前記カウンタＰを“１”だけ減算し、残り置数を表示』してから、『第１０の判定で前記カウンタＰの数値が“０”』になるまでは『直ちにこのサブルーチンを終了』する」、「『１部目のコピー処理』のため『１』であった『コピーフラグ』が『０』になってから『第４の判定』で『置数が入力され』たとの判定がなされないまま『第８の判定』で『コピースタートキーがオンエッジ』であると判定されて『第９の判定』で『処理モードが変更されていないと判定』された場合」、「『残りコピー部数を示すカウンタＰ及び入力された置数を示すカウンタＱのそれぞれ』の置数は更新せず『第８の判定』で『コピースタートキーがオンエッジ』であると判定されて『１部目終了フラグを“０”にリセット』し『第９の判定』で『処理モードが変更されていないと判定』されて『前記カウンタＰを“１”だけ減算し、残り置数を表示』し、続いて、『第１０の判定』で『前記カウンタＰの数値が“０”でない』で『直ちにこのサブルーチンを終了』し、『スタート信号』が入力されているので『ステップＳ７』で『コピーフラグを“１”にセット』し、『ステップ８』の『第１２の判定』で『コピーフラグが“１”にセットされている』と判断され『コピー処理を実行』する」、「『１部目のコピー処理』のため『１』であった『コピーフラグ』が『０』になってから『第４の判定』で『置数が入力され』たとの判定がなされ『残りコピー部数を示すカウンタＰ及び入力された置数を示すカウンタＱのそれぞれにその置数をメモリ』した後に『第８の判定』で『コピースタートキーがオンエッジ』であると判定されて『第９の判定』で『コピー処理モードが変更されたと判定』された場合」、「『置数が入力』され『残りコピー部数を示すカウンタＰ及び入力された置数を示すカウンタＱのそれぞれにその置数をメモリ』して置数を更新し、『第８の判定』で『コピースタートキーがオンエッジ』であると判定され、『１部目終了フラグを“０”にリセット』し、『第９の判定』で『コピー処理モードが変更されたと判定』され、『前記カウンタＰを減算することなく、処理変更フラグを“１”にセット』し、『直ちにこのサブルーチンを終了』し、『スタート信号』が入力されているので『ステップＳ７』で『コピーフラグを“１”にセット』し、『ステップ８』の『第１２の判定』で『コピーフラグが“１”にセットされている』と判断され『コピー処理を実行』する」、「『１部目のコピー処理』のため『１』であった『コピーフラグ』が『０』になってから『実行』された『複写機本体を制御するＣＰＵのメインルーチン』」及び「画像形成装置」は、
　それぞれ、
　本願補正発明の「置数を設定する第１の設定手段」、「前記置数以外の印刷条件を設定する第２の設定手段」、「所定の置数分の印刷処理を前記第２の設定手段により設定された前記印刷条件に従って実行する第１の印刷手段」、「前記第１の設定手段により設定された前記置数及び前記第２の設定手段により設定された前記印刷条件を前記第１の印刷手段が前記印刷処理を実行した後に変更する変更手段」、「前記変更手段により前記置数が変更されず前記印刷条件が変更された場合」、「前記第１の設定手段により設定された前記置数分の印刷処理を前記変更手段により変更された前記印刷条件に従って実行」、「前記変更手段により前記置数及び前記印刷条件が変更されなかった場合」、「前記第１の設定手段により設定された前記置数から前記所定の置数を減算した置数分の印刷処理を前記第２の設定手段により設定された前記印刷条件に従って実行」、「前記変更手段により前記置数及び前記印刷条件が変更された場合」、「前記所定の置数分の印刷処理を前記変更手段により変更された前記印刷条件に従って実行することなく、前記変更手段により変更された前記置数分の印刷処理を前記変更手段により変更された前記印刷条件に従って実行する」、「第２の印刷手段」及び「印刷装置」に相当する。
　
（２）上記（１）によれば、本願補正発明と引用発明１とは、
「置数を設定する第１の設定手段と、
　前記置数以外の印刷条件を設定する第２の設定手段と、
　所定の置数分の印刷処理を前記第２の設定手段により設定された前記印刷条件に従って実行する第１の印刷手段と、
　前記第１の設定手段により設定された前記置数及び前記第２の設定手段により設定された前記印刷条件を前記第１の印刷手段が前記印刷処理を実行した後に変更する変更手段と、
　前記変更手段により前記置数が変更されず前記印刷条件が変更された場合に、前記第１の設定手段により設定された前記置数分の印刷処理を前記変更手段により変更された前記印刷条件に従って実行し、前記変更手段により前記置数及び前記印刷条件が変更されなかった場合に、前記第１の設定手段により設定された前記置数から前記所定の置数を減算した置数分の印刷処理を前記第２の設定手段により設定された前記印刷条件に従って実行し、前記変更手段により前記置数及び前記印刷条件が変更された場合に、前記所定の置数分の印刷処理を前記変更手段により変更された前記印刷条件に従って実行することなく、前記変更手段により変更された前記置数分の印刷処理を前記変更手段により変更された前記印刷条件に従って実行する第２の印刷手段とを有する印刷装置。」である点で一致し、相違するところはない。
　
（３）したがって、本願補正発明は、引用例１に記載された発明であるから、特許法第２９条第１項第３号に該当し、特許出願の際独立して特許を受けることができないものである。
　
５　引用発明２との対比・判断
（１）対比
　本願補正発明と引用発明２とを対比する。
　ア　引用発明２の「『テンキー』及び『液晶ディスプレイの部数表示』」、「表面にタッチパネルが張り付けられており、装置の状態を示す各種メッセージの表示や、各種情報の入力等に使用される液晶ディスプレイ」、「『試しコピーキー』、『前記試しコピーキーが押されたとき、ＡＤＦによる原稿搬送、読み取りユニットによる原稿の読み取り、及び画像データの画像メモリへの保持を行い、原稿が終了であれば』行う『１部目の出力処理』及び『１部目が出力し終わった時点で前記操作部からのモード設定変更を許可し、再読フラグを”０”にリセットし、前記操作部からキー入力が行われるまでキー入力待ちとなり、前記操作部からのキー入力が行われれば、前記試しコピーキーが再び押下されたか否かの第１の判断を行い、該第１の判断で前記試しコピーキーが押下されていれば、再読フラグがセットされていないことを確認して、原稿読み取り処理は行わず』に戻って行う『１部目出力処理』」、「『前記第１の判断で前記試しコピーキーが押下されていなければ、前記スタートキーが押下されているか否かの第２の判断を行い、該第２の判断で前記スタートキーが押下されていなければ、前記クリア／ストップキーが押下されているか否かの第３の判断を行い、該第３の判断で前記クリア／ストップキーが押下されていれば、モードクリア処理を行い、試しコピーキーが押されたときの処理を終了し、前記第３の判断で前記クリア／ストップキーが押下されていなければ、ステイプルキー、ページ印字キー、ソートキー及び両面キーの各々についてキーが押下されているか否かの第４ないし第８の判断を行って、第４ないし第８の各判断でキーが押下されていれば対応する設定処理を行いその後前記キー入力待ちに戻り、第４ないし第８の各判断でいずれもキーが押下されていなければ、その他のモードキーが押下されているか否かの第９の判断を行い、該第９の判断でその他のモードキーが押下されていれば、そのモード設定処理を行った後、再読フラグを”１”にセットして、前記キー入力待ちに戻り、前記第９の判断でその他のモードキーが押下されていなければ、直ちに前記キー入力待ちに戻』るにおける各『設定処理』」、「『第４ないし第８の各判断でキーが押下されて』いて『対応する設定処理を行』った場合及び『第９の判断でその他のモードキーが押下されて』いて『そのモード設定処理を行った後、再読フラグを”１”にセット』した場合」、「『第４ないし第８の各判断でいずれもキーが押下されていな』くて、かつ『第９の判断でその他のモードキーが押下されていな』かった場合」、「『スタートキーであるプリントキー』及び『第２の判断で前記スタートキーが押下されていれば、再読フラグがセットされていないことを確認して、読み取りは行わずそのまま』行う『２部目以降の処理』」及び「画像形成装置」は、それぞれ、本願補正発明の「置数を設定する第１の設定手段」、「前記置数以外の印刷条件を設定する第２の設定手段」、「所定の置数分の印刷処理を前記第２の設定手段により設定された前記印刷条件に従って実行する第１の印刷手段」、「前記第２の設定手段により設定された前記印刷条件を前記第１の印刷手段が前記印刷処理を実行した後に変更する変更手段」、「『前記変更手段』により『前記印刷条件が変更され』た場合」、「『前記変更手段』により『前記印刷条件が変更され』なかった場合」、「第２の印刷手段」及び「印刷装置」に相当する。
　
　イ　引用発明２の「第２の印刷手段（第２の判断で前記スタートキーが押下されていれば、再読フラグがセットされていないことを確認して、読み取りは行わずそのまま行う２部目以降の処理）」は、
　「試しコピーキーが押されたとき、ＡＤＦによる原稿搬送、読み取りユニットによる原稿の読み取り、及び画像データの画像メモリへの保持を行い、原稿が終了であれば１部目の出力処理を行い、１部目が出力し終わった時点で前記操作部からのモード設定変更を許可し、再読フラグを”０”にリセットし、前記操作部からキー入力が行われるまでキー入力待ちとなり、前記操作部からのキー入力が行われれば、前記試しコピーキーが再び押下されたか否かの第１の判断を行い、該第１の判断で前記試しコピーキーが押下されていれば、再読フラグがセットされていないことを確認して、原稿読み取り処理は行わず１部目出力処理へ戻り、前記第１の判断で前記試しコピーキーが押下されていなければ、前記スタートキーが押下されているか否かの第２の判断を行い、該第２の判断で前記スタートキーが押下されていなければ、前記クリア／ストップキーが押下されているか否かの第３の判断を行い、該第３の判断で前記クリア／ストップキーが押下されていれば、モードクリア処理を行い、試しコピーキーが押されたときの処理を終了し、前記第３の判断で前記クリア／ストップキーが押下されていなければ、ステイプルキー、ページ印字キー、ソートキー及び両面キーの各々についてキーが押下されているか否かの第４ないし第８の判断を行って、第４ないし第８の各判断でキーが押下されていれば対応する設定処理を行いその後前記キー入力待ちに戻り、第４ないし第８の各判断でいずれもキーが押下されていなければ、その他のモードキーが押下されているか否かの第９の判断を行い、該第９の判断でその他のモードキーが押下されていれば、そのモード設定処理を行った後、再読フラグを”１”にセットして、前記キー入力待ちに戻り、前記第９の判断でその他のモードキーが押下されていなければ、直ちに前記キー入力待ちに戻」る処理を伴ったものであるから、
　本願補正発明の「前記変更手段により前記置数が変更されず前記印刷条件が変更された場合に、前記第１の設定手段により設定された前記置数分の印刷処理を前記変更手段により変更された前記印刷条件に従って実行し、前記変更手段により前記置数及び前記印刷条件が変更されなかった場合に、前記第１の設定手段により設定された前記置数から前記所定の置数を減算した置数分の印刷処理を前記第２の設定手段により設定された前記印刷条件に従って実行し、前記変更手段により前記置数及び前記印刷条件が変更された場合に、前記所定の置数分の印刷処理を前記変更手段により変更された前記印刷条件に従って実行することなく、前記変更手段により変更された前記置数分の印刷処理を前記変更手段により変更された前記印刷条件に従って実行する第２の印刷手段」と、
　「前記変更手段により前記印刷条件が変更されなかった場合に、前記第１の設定手段により設定された前記置数から前記所定の置数を減算した置数分の印刷処理を前記第２の設定手段により設定された前記印刷条件に従って実行し、前記変更手段により前記印刷条件が変更された場合に、前記所定の置数分の印刷処理を前記変更手段により変更された前記印刷条件に従って実行することなく、印刷処理を前記変更手段により変更された前記印刷条件に従って実行する」点で一致する。
　
　ウ　上記ア及びイからみて、本願補正発明と引用発明２とは、
「置数を設定する第１の設定手段と、
　前記置数以外の印刷条件を設定する第２の設定手段と、
　所定の置数分の印刷処理を前記第２の設定手段により設定された前記印刷条件に従って実行する第１の印刷手段と、
　前記第２の設定手段により設定された前記印刷条件を前記第１の印刷手段が前記印刷処理を実行した後に変更する変更手段と、
　前記変更手段により前記印刷条件が変更されなかった場合に、前記第１の設定手段により設定された前記置数から前記所定の置数を減算した置数分の印刷処理を前記第２の設定手段により設定された前記印刷条件に従って実行し、前記変更手段により前記印刷条件が変更された場合に、前記所定の置数分の印刷処理を前記変更手段により変更された前記印刷条件に従って実行することなく、印刷処理を前記変更手段により変更された前記印刷条件に従って実行する第２の印刷手段とを有する印刷装置。」である点で一致し、次の点で相違する。
　
相違点１：
　本願補正発明では、前記第１の印刷手段が前記印刷処理を実行した後に前記変更手段が「前記第１の設定手段により設定された前記置数」も変更するものであり、前記変更手段により前記印刷条件が変更された場合に前記第２の印刷手段が前記所定の置数分の印刷処理を前記変更手段により変更された前記印刷条件に従って実行することなく前記変更手段により変更された前記印刷条件に従って実行する印刷処理が、前記変更手段により前記置数が変更されなかった場合には、「前記第１の設定手段により設定された前記置数分の印刷処理」であり、前記変更手段により前記置数も変更された場合には、「前記変更手段により変更された前記置数分の印刷処理」であるのに対して、
　引用発明２では、前記第１の印刷手段が前記印刷処理を実行した後に前記変更手段が「前記第１の設定手段により設定された前記置数」も変更できるものかどうか明らかでなく、前記置数も変更できるとしても、前記変更手段により前記置数及び前記印刷条件が変更された場合に前記第２の印刷手段が前記所定の置数分の印刷処理を前記変更手段により変更された前記印刷条件に従って実行することなく前記変更手段により変更された前記印刷条件に従って実行する印刷処理が、変更された置数分の印刷処理になるのか、変更された置数から前記所定の置数を減算した置数分の印刷処理になるのかが明らかでない点。
　
（２）判断
　上記相違点１について検討する。
　ア　引用発明２の「印刷装置（画像形成装置）」は、試しに１部目を出力した後に画像形成モードを変更できるものであるところ、試しに１部目を出力した後に画像形成モード及び置数を変更できるようになっている画像形成装置は本願の出願前に周知である（以下「周知技術」という。例．引用発明１、引用発明４、引用発明５）。
　
　イ　引用例３に記載されている引用発明５の印写装置は、「試し刷りを行う時に、オペレータが試し刷りされた印刷物を見て、それ以上試し刷りする必要がなければ、当初設定した印刷枚数を変更するかオペレータに確認し、印刷枚数に変更がある場合には印刷枚数を再設定した後、印刷枚数に変更がない場合にはそのまま、設定された印刷枚数より１枚少ない枚数にすることなく、本印刷を行う処理動作を実行する」ものであり、引用例３には「試し刷りの分を印刷枚数には入れず、ステップ１１１の本印刷では設定された印刷枚数を印刷するようにしてもよい。」（上記３（３）ア【００２２】参照。）と記載されている。
　
　ウ　上記ア及びイからみて、引用発明２において、前記「変更手段」を、前記第１の印刷手段が前記印刷処理を実行した後に「前記第１の設定手段により設定された前記置数」も変更するものとし、そのようにした前記「変更手段」により前記「置数」及び前記印刷条件が変更された場合に、前記「第２の印刷手段」が、前記所定の置数分の印刷処理を前記変更手段により変更された前記印刷条件に従って実行することなく、前記「変更手段により変更された前記置数」分の印刷処理を前記「変更手段」により変更された前記印刷条件に従って実行するようになすこと、すなわち、引用発明２において、上記相違点１に係る本願補正発明の構成となすことは、当業者が周知技術、引用発明５及び引用例３に記載された事項に基づいて容易になし得た程度のことである。
　
　エ　本願補正発明の奏する効果は、引用発明２の奏する効果、周知技術の奏する効果、引用発明５の奏する効果及び引用例３に記載された事項から、当業者が予測できた程度のものである。
　
　オ　まとめ
　以上のとおりであるから、本願補正発明は、当業者が引用例２に記載された引用発明２、引用例３に記載された引用発明５、引用例３に記載された事項及び周知技術に基づいて容易に発明をすることができたものである。
　したがって、本願補正発明は、特許法第２９条第２項の規定により、特許出願の際独立して特許を受けることができないものである。
　
６　引用発明３との対比・判断
（１）対比
　本願補正発明と引用発明３とを対比する。
　ア　引用発明３の「『部数』を『セット』する手段」、「『指定されたコピー条件』を『保持』する手段」、「『１部目の出力処理を行い、１部目が出力し終わった時点で、操作部からのコピー条件操作について許可し、前記操作部からのキー入力が行われるまでキー入力待ち』にする手段」、「『前記キー入力待ちにおいて、前記操作部からのキー入力』が行われ、『キー入力がその他の有効なキーの押下か否かの第３の判断』を行い、『第３の判断でキー入力が有効なキーの押下であれば、コピー条件設定処理を行ってから、前記キー入力待ち』に戻らせる手段」、「『第３の判断でキー入力が有効なキーの押下』であって、『コピー条件設定処理』を行った場合」、「『第４の判断で現在のコピー条件が記憶されているコピー条件と異な』っているので『出力部数を“セット部数”』とし、その後『現在のコピー条件で、出力部数の値として指示される部数を出力』」、「『第３の判断でキー入力が無効なキーの押下』以外のキー入力がない間に、『第１の判断でキー入力がスタートキーの押下』であった場合」、「『第４の判断で現在のコピー条件が記憶されているコピー条件と同じ』であるので『出力部数を“セット部数−１”と』し、その後『現在のコピー条件で、出力部数の値として指示される部数を出力』」、「『スタートキー』及び『第１の判断でキー入力がスタートキーの押下』であるとき『第４の判断結果がいずれにしても、現在のコピー条件で、出力部数の値として指示される部数を出力』する手段」及び「画像形成装置」は、
　それぞれ、
　本願補正発明の「置数を設定する第１の設定手段」、「前記置数以外の印刷条件を設定する第２の設定手段」、「所定の置数分の印刷処理を前記第２の設定手段により設定された前記印刷条件に従って実行する第１の印刷手段」、「前記第２の設定手段により設定された前記印刷条件を前記第１の印刷手段が前記印刷処理を実行した後に変更する変更手段」、「『前記変更手段』により『前記印刷条件が変更』された場合」、「『前記所定の置数分の印刷処理を前記変更手段により変更された前記印刷条件に従って実行する』ことなく、『印刷処理を前記変更手段により変更された前記印刷条件に従って実行する』」、「前記変更手段により前記置数及び前記印刷条件が変更されなかった場合」、「前記第１の設定手段により設定された前記置数から前記所定の置数を減算した置数分の印刷処理を前記第２の設定手段により設定された前記印刷条件に従って実行」、「第２の印刷手段」及び「印刷装置」に相当する。
　
　イ　上記アによれば、本願補正発明と引用発明３とは、
「置数を設定する第１の設定手段と、
　前記置数以外の印刷条件を設定する第２の設定手段と、
　所定の置数分の印刷処理を前記第２の設定手段により設定された前記印刷条件に従って実行する第１の印刷手段と、
　前記第２の設定手段により設定された前記印刷条件を前記第１の印刷手段が前記印刷処理を実行した後に変更する変更手段と、
　前記変更手段により前記印刷条件が変更されなかった場合に、前記第１の設定手段により設定された前記置数から前記所定の置数を減算した置数分の印刷処理を前記第２の設定手段により設定された前記印刷条件に従って実行し、前記変更手段により前記印刷条件が変更された場合に、前記所定の置数分の印刷処理を前記変更手段により変更された前記印刷条件に従って実行することなく、印刷処理を前記変更手段により変更された前記印刷条件に従って実行する第２の印刷手段とを有する印刷装置。」である点で一致し、次の点で相違する。
　
相違点２：
　本願補正発明では、前記第１の印刷手段が前記印刷処理を実行した後に前記変更手段が「前記第１の設定手段により設定された前記置数」も変更するものであり、前記変更手段により前記印刷条件が変更された場合に、前記第２の印刷手段が前記所定の置数分の印刷処理を前記変更手段により変更された前記印刷条件に従って実行することなく前記変更手段により変更された前記印刷条件に従って実行する印刷処理が、前記変更手段により前記置数が変更されなかった場合には、「前記第１の設定手段により設定された前記置数分の印刷処理」であり、前記変更手段により前記置数も変更された場合には、「前記変更手段により変更された前記置数分の印刷処理」であるのに対して、
　引用発明３では、前記第１の印刷手段が前記印刷処理を実行した後に前記変更手段が「前記第１の設定手段により設定された前記置数」も変更できるとすると、前記変更手段により前記印刷条件が変更された場合に前記第２の印刷手段が前記所定の置数分の印刷処理を前記変更手段により変更された前記印刷条件に従って実行することなく前記変更手段により変更された前記印刷条件に従って実行する印刷処理が、前記置数が変更されなかった場合は、第１の設定手段により設定された置数分の印刷処理であり、前記置数が前記印刷条件とともに変更された場合は、前記変更手段により変更された前記置数分の印刷処理であることは当業者に自明であるが、前記変更手段が前記第１の設定手段により設定された前記置数」も変更できるものかどうかは明らかでない点。
　
（２）判断
　上記相違点２について検討する。
　ア　引用発明３の「印刷装置（画像形成装置）」は、「電子ソートで１部目を出力した後に、メモリより後段に位置する機能の操作を許可し、最初に指定されたコピー条件を記憶しているので、許可した機能の変更が行われた場合には“セット部数”分を、機能の変更がなければ“セット部数−１”分を出力」し、「必要な部数を確保することができる」ようにしたものであるところ、１部目を出力した後に、機能の変更及び置数を変更できるようになっている画像形成装置は、上記５（２）アで述べた周知の画像形成装置であって（「画像形成モードの変更」が「機能の変更」に相当する。）、本願の出願前に周知であるから、引用発明３において、前記第１の印刷手段が前記印刷処理を実行した後に前記変更手段が「前記第１の設定手段により設定された前記置数」も変更するようにして、前記変更手段により前記印刷条件が変更された場合に前記第２の印刷手段が前記所定の置数分の印刷処理を前記変更手段により変更された前記印刷条件に従って実行することなく前記変更手段により変更された前記印刷条件に従って実行する印刷処理を、上記のようにした変更手段により前記置数が変更されなかった場合は第１の設定手段により設定された置数分の印刷処理となし、上記のようにした変更手段により前記置数が前記印刷条件とともに変更された場合は前記変更手段により変更された前記置数分の印刷処理となすこと、すなわち、引用発明３において、上記相違点２に係る本願補正発明の構成となすことは、当業者が周知技術に基づいて容易になし得た程度のことである。
　
　イ　本願補正発明の奏する効果は、引用発明３の奏する効果及び周知技術の奏する効果から、当業者が予測できた程度のものである。
　
　ウ　まとめ
　以上のとおりであるから、本願補正発明は、当業者が引用例２に記載された引用発明３及び周知技術に基づいて容易に発明をすることができたものである。
　したがって、本願補正発明は、特許法第２９条第２項の規定により、特許出願の際独立して特許を受けることができないものである。
　
７　小括
　上記４ないし６のとおり、本願補正発明は特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　本件補正は上記のとおり却下されたので、本願の請求項１ないし７に係る発明は、平成２１年１０月１３日付け手続補正によって補正された明細書の特許請求の範囲の請求項１ないし７に記載された事項によって特定されるものであるところ、請求項１に係る発明（以下「本願発明」という。）は、平成２１年１０月１３日付け手続補正によって補正された明細書及び図面の記載からみて、上記「第２〔理由〕１（１）」に本件補正前の請求項１として記載したとおりのものと認める。
　
２　引用例
　原査定の拒絶の理由で引用された引用例１ないし３及びその記載事項は、前記「第２〔理由〕３」に記載したとおりである。
　
３　対比・判断　
（１）本願補正発明は、上記「第２〔理由〕１（２）」で述べたとおり、本願発明において、前記変更手段により「前記第１の設定手段により設定された前記置数」も変更できるとの限定及びこの置数の変更がなされた場合についての限定を付加したものに相当するところ、これらの限定事項は、本願補正発明と引用発明３との唯一の相違点（相違点２）である。
　
（２）そうすると、本願発明と引用発明１及び引用発明３とは、いずれも、
「置数を設定する第１の設定手段と、
　前記置数以外の印刷条件を設定する第２の設定手段と、
　所定の置数で前記第２の設定手段により設定された前記印刷条件に従って印刷処理を実行する第１の印刷手段と、
　前記第２の設定手段により設定された前記印刷条件を前記第１の印刷手段が前記印刷処理を実行した後に変更する変更手段と、
　前記変更手段により前記印刷条件が変更された場合に、前記第１の設定手段により設定された置数で前記変更手段により変更された前記印刷条件に従って印刷処理を実行し、前記変更手段により前記印刷条件が変更されなかった場合に、前記第１の設定手段により設定された置数から前記所定の置数を減算した置数で前記第２の設定手段により設定された前記印刷条件に従って印刷処理を実行する第２の印刷手段とを有する印刷装置。」である点で一致し、相違するところはないから、本願発明は、引用例１に記載された発明であるとともに、引用例２に記載された発明でもある。
　
（３）また、本願発明を限定した本願補正発明は、上記「第２〔理由〕５（２）」で述べたとおり、当業者が引用例２に記載された引用発明２、引用例３に記載された引用発明５、引用例３に記載された事項及び周知技術に基づいて容易に発明をすることができたものであるから、本願発明も、同様の理由により、当業者が引用例２に記載された引用発明２、引用例３に記載された引用発明５、引用例３に記載された事項及び周知技術に基づいて容易に発明をすることができたものである。
　
４　むすび
　したがって、本願発明は、上記３（２）のとおり、引用例１及び２に記載された発明であるから、特許法第２９条第１項第３号に該当し、特許を受けることができない。
　また、本願発明は、上記３（３）のとおり、当業者が引用例２に記載された引用発明２、引用例３に記載された引用発明５、引用例３に記載された事項及び周知技術に基づいて容易に発明をすることができたものであるから、特許法第２９条第２項の規定により、特許を受けることができない。
　よって、結論のとおり審決する。